(57)【要約】  本願の実施形態は、通信方法及びネットワークデバイスを提供する。方法は、ネットワークデバイスにより、ネットワークデバイスの複数のＤＭＲＳポートのうちの少なくとも１つのＤＭＲＳポートに対応するリソースが第１の時間区分においてＤＭＲＳを伝送するのに用いられないことを決定する段階と、ネットワークデバイスにより、端末デバイスに送信される第１のデータ情報を第１の時間区分において搬送するために用いられる第１のリソースを決定する段階であって、第１のリソースは、少なくとも１つのＤＭＲＳポートに対応しており、かつ、ＤＭＲＳを伝送するのに用いられないリソースを含み、ネットワークデバイスにより、端末デバイスに第１のリソースのインジケーション情報を送信する段階と、端末デバイスにより、第１のリソースの受信したインジケーション情報に基づいて、第１の時間区分において第１のデータ情報を搬送するために用いられる第１のリソースを決定する段階と、端末デバイスにより、第１のリソース上で搬送される第１のデータ情報をネットワークデバイスから受信する段階、又は、端末デバイスにより、第１のデータ情報を搬送する第１のリソースを用いることによりネットワークデバイスに第１のデータ情報を送信する段階とを含む。これにより、ネットワークデバイス及び端末デバイスは、アイドルＤＭＲＳポートに対応するリソースを用いることによりデータ情報を伝送する。これは、スペクトル効率を向上させる。
2020507290.tif 000002
【特許請求の範囲】
【請求項１】
通信方法であって、
ネットワークデバイスにより、前記ネットワークデバイスの複数の復調基準信号ＤＭＲＳポートのうちの少なくとも１つのＤＭＲＳポートに対応するリソースが第１の時間区分においてＤＭＲＳを伝送するのに用いられないことを決定する段階であって、前記少なくとも１つのＤＭＲＳポートは、第１のＤＭＲＳポートを有する、段階と、
前記ネットワークデバイスにより、前記第１の時間区分においてデータ情報を搬送するために用いられる第１のリソースを決定する段階であって、前記第１のリソースは、前記第１のＤＭＲＳポートに対応するリソースを有する、段階と、
前記ネットワークデバイスにより、前記第１のリソースのインジケーション情報を端末デバイスに送信する段階と、
前記ネットワークデバイスにより、第１のデータ情報を搬送する前記第１のリソースを用いることにより、前記端末デバイスに前記第１のデータ情報を送信する段階、又は、前記ネットワークデバイスにより、前記第１のリソース上で搬送される第３のデータ情報を前記端末デバイスから受信する段階と
を備える方法。
【請求項２】
前記ネットワークデバイスにより、第２の時間区分における第２のリソースを決定する段階であって、前記第２のリソースは、前記ネットワークデバイスのすべてのＤＭＲＳポートに対応するリソースを含まない、段階と、
前記ネットワークデバイスにより、前記端末デバイスに前記第２のリソースのインジケーション情報を送信する段階と、
前記ネットワークデバイスにより、第２のデータ情報を搬送する前記第２のリソースを用いることにより、前記端末デバイスに前記第２のデータ情報を送信する段階、又は、前記ネットワークデバイスにより、前記第２のリソース上で搬送される第４のデータ情報を前記端末デバイスから受信する段階と
をさらに備える、請求項１に記載の方法。
【請求項３】
前記第２のリソースの前記インジケーション情報は、前記ネットワークデバイスのすべての前記ＤＭＲＳポートに対応する前記リソースを前記第２のリソースが含まないことを示すために用いられる情報を有する、請求項２に記載の方法。
【請求項４】
前記第２のリソースの前記インジケーション情報は、前記第２のリソースに含まれるシンボルのインデックスを示すために用いられる情報を有する、請求項２又は３に記載の方法。
【請求項５】
前記第１のリソースの前記インジケーション情報は、前記第１のＤＭＲＳポートに対応する前記リソースを示すために用いられる情報を有する、請求項１から４のいずれか一項に記載の方法。
【請求項６】
前記第１のＤＭＲＳポートに対応する前記リソースに関する前記情報は、前記第１のＤＭＲＳポートのポート番号、又は、前記第１のＤＭＲＳポートに対応する前記リソースのインデックスを有する、請求項５に記載の方法。
【請求項７】
前記第１のリソースの前記インジケーション情報は、前記複数のＤＭＲＳポート内の前記第１のＤＭＲＳポート以外の第２のＤＭＲＳポートに対応するリソースを示すために用いられる情報を有する、請求項１から６のいずれか一項に記載の方法。
【請求項８】
前記第１のリソースの前記インジケーション情報は、前記第１のリソース内の前記第１のＤＭＲＳポートに対応する前記リソース以外の第３のリソースのインジケーション情報を有する、請求項１から６のいずれか一項に記載の方法。
【請求項９】
前記第３のリソースの前記インジケーション情報は、前記第３のリソースに含まれるシンボルのインデックスを示すために用いられる情報を有する、請求項８に記載の方法。
【請求項１０】
ネットワークデバイスであって、
前記ネットワークデバイスの複数の復調基準信号ＤＭＲＳポートのうちの少なくとも１つのＤＭＲＳポートに対応するリソースが第１の時間区分においてＤＭＲＳを伝送するのに用いられないことを決定するように構成される処理ユニットであって、前記少なくとも１つのＤＭＲＳポートは、第１のＤＭＲＳポートを有し、前記処理ユニットは、前記第１の時間区分においてデータ情報を搬送するために用いられる第１のリソースを決定するように構成され、前記第１のリソースは、前記第１のＤＭＲＳポートに対応するリソースを有する、処理ユニットと、
端末デバイスに前記第１のリソースのインジケーション情報を送信するように構成される送信ユニットと
を備え、
前記送信ユニットは、第１のデータ情報を搬送する前記第１のリソースを用いることにより、前記端末デバイスに前記第１のデータ情報を送信するようにさらに構成される、又は、受信ユニットは、前記第１のリソース上で搬送される第３のデータ情報を前記端末デバイスから受信するように構成される、ネットワークデバイス。
【請求項１１】
前記処理ユニットは、第２の時間区分における第２のリソースを決定するようにさらに構成され、前記第２のリソースは、前記ネットワークデバイスのすべてのＤＭＲＳポートに対応するリソースを含まず、
前記送信ユニットは、前記端末デバイスに前記第２のリソースのインジケーション情報を送信するようにさらに構成され、
前記送信ユニットは、第２のデータ情報を搬送する前記第２のリソースを用いることにより、前記端末デバイスに前記第２のデータ情報を送信するようにさらに構成される、又は、前記受信ユニットは、前記第２のリソース上で搬送される第４のデータ情報を前記端末デバイスから受信するようにさらに構成される、請求項１０に記載のネットワークデバイス。
【請求項１２】
前記第２のリソースの前記インジケーション情報は、前記ネットワークデバイスのすべての前記ＤＭＲＳポートに対応する前記リソースを前記第２のリソースが含まないことを示すために用いられる情報を有する、請求項１１に記載のネットワークデバイス。
【請求項１３】
前記第２のリソースの前記インジケーション情報は、前記第２のリソースに含まれるシンボルのインデックスを示すために用いられる情報を有する、請求項１１又は１２に記載のネットワークデバイス。
【請求項１４】
前記第１のリソースの前記インジケーション情報は、前記第１のＤＭＲＳポートに対応する前記リソースを示すために用いられる情報を有する、請求項１０から１３のいずれか一項に記載のネットワークデバイス。
【請求項１５】
前記第１のＤＭＲＳポートに対応する前記リソースに関する前記情報は、前記第１のＤＭＲＳポートのポート番号、又は、前記第１のＤＭＲＳポートに対応する前記リソースのインデックスを有する、請求項１４に記載のネットワークデバイス。
【請求項１６】
前記第１のリソースの前記インジケーション情報は、前記複数のＤＭＲＳポート内の前記第１のＤＭＲＳポート以外の第２のＤＭＲＳポートに対応するリソースを示すために用いられる情報を有する、請求項１０から１５のいずれか一項に記載のネットワークデバイス。
【請求項１７】
前記第１のリソースの前記インジケーション情報は、前記第１のリソース内の前記第１のＤＭＲＳポートに対応する前記リソース以外の第３のリソースのインジケーション情報を有する、請求項１０から１５のいずれか一項に記載のネットワークデバイス。
【請求項１８】
前記第３のリソースの前記インジケーション情報は、前記第３のリソースに含まれるシンボルのインデックスを示すために用いられる情報を有する、請求項１７に記載のネットワークデバイス。
【請求項１９】
通信方法であって、
端末デバイスにより、ネットワークデバイスから第１のリソースのインジケーション情報を受信する段階と、
前記端末デバイスにより、前記第１のリソースの前記インジケーション情報に基づいて、第１の時間区分において前記ネットワークデバイスにより用いられる前記第１のリソースを決定する段階であって、前記第１のリソースは、第１の復調基準信号ＤＭＲＳポートに対応するリソースを有し、前記第１のＤＭＲＳポートは、前記ネットワークデバイスの複数のＤＭＲＳポートのうちの少なくとも１つのＤＭＲＳポートのうちの１つであり、前記少なくとも１つのＤＭＲＳポートに対応するリソースは、ＤＭＲＳを伝送するのに用いられない、段階と、
前記端末デバイスにより、前記第１のリソース上で搬送される第１のデータ情報を前記ネットワークデバイスから受信する段階、又は、前記端末デバイスにより、第３のデータ情報を搬送する前記第１のリソースを用いることにより、前記第３のデータ情報を前記ネットワークデバイスに送信する段階と
を備える方法。
【請求項２０】
前記端末デバイスにより、前記ネットワークデバイスから第２のリソースのインジケーション情報を受信する段階と、
前記端末デバイスにより、前記第２のリソースの前記インジケーション情報に基づいて、第２の時間区分において前記ネットワークデバイスにより用いられる前記第２のリソースを決定する段階であって、前記第２のリソースは、前記ネットワークデバイスのすべてのＤＭＲＳポートに対応するリソースを含まない、段階と、
前記端末デバイスにより、前記第２のリソース上で搬送される第２のデータ情報を前記ネットワークデバイスから受信する段階、又は、前記端末デバイスにより、第４のデータ情報を搬送する前記第２のリソースを用いることにより、前記第４のデータ情報を前記ネットワークデバイスに送信する段階と
をさらに備える、請求項１９に記載の方法。
【請求項２１】
前記第２のリソースの前記インジケーション情報は、前記ネットワークデバイスのすべての前記ＤＭＲＳポートに対応する前記リソースを前記第２のリソースが含まないことを示すために用いられる情報を有する、請求項２０に記載の方法。
【請求項２２】
前記第１のリソースの前記インジケーション情報は、前記複数のＤＭＲＳポート内の前記第１のＤＭＲＳポート以外の第２のＤＭＲＳポートに対応するリソースを示すために用いられる情報を有する、請求項１９から２１のいずれか一項に記載の方法。
【請求項２３】
端末デバイスであって、
ネットワークデバイスから第１のリソースのインジケーション情報を受信するように構成される受信ユニットと、
前記第１のリソースの前記インジケーション情報に基づいて、第１の時間区分において前記ネットワークデバイスにより用いられる前記第１のリソースを決定するように構成される処理ユニットであって、前記第１のリソースは、第１の復調基準信号ＤＭＲＳポートに対応するリソースを有し、前記第１のＤＭＲＳポートは、前記ネットワークデバイスの複数のＤＭＲＳポートのうちの少なくとも１つのＤＭＲＳポートのうちの１つであり、前記少なくとも１つのＤＭＲＳポートに対応するリソースは、ＤＭＲＳを伝送するのに用いられない、処理ユニットと
を備え、
前記受信ユニットは、前記第１のリソース上で搬送される第１のデータ情報を前記ネットワークデバイスから受信するようにさらに構成される、又は、送信ユニットは、第３のデータ情報を搬送する前記第１のリソースを用いることにより、前記ネットワークデバイスに前記第３のデータ情報を送信するように構成される、端末デバイス。
【請求項２４】
前記受信ユニットは、前記ネットワークデバイスから第２のリソースのインジケーション情報を受信するようにさらに構成され、
前記処理ユニットは、前記第２のリソースの前記インジケーション情報に基づいて、第２の時間区分において前記ネットワークデバイスにより用いられる前記第２のリソースを決定するようにさらに構成され、前記第２のリソースは、前記ネットワークデバイスのすべてのＤＭＲＳポートに対応するリソースを含まず、
前記受信ユニットは、前記第２のリソース上で搬送される第２のデータ情報を前記ネットワークデバイスから受信するようにさらに構成される、又は、前記送信ユニットは、第４のデータ情報を搬送する前記第２のリソースを用いることにより、前記ネットワークデバイスに前記第４のデータ情報を送信するようにさらに構成される、請求項２３に記載の端末デバイス。
【請求項２５】
前記第２のリソースの前記インジケーション情報は、前記ネットワークデバイスのすべての前記ＤＭＲＳポートに対応する前記リソースを前記第２のリソースが含まないことを示すために用いられる情報を有する、請求項２４に記載の端末デバイス。
【請求項２６】
前記第１のリソースの前記インジケーション情報は、前記複数のＤＭＲＳポート内の前記第１のＤＭＲＳポート以外の第２のＤＭＲＳポートに対応するリソースを示すために用いられる情報を有する、請求項２３から２５のいずれか一項に記載の端末デバイス。
【発明の詳細な説明】
【技術分野】
【０００１】
本願は、２０１７年１月２５日に中国特許庁に出願され、「通信方法及びネットワークデバイス」と題する中国特許出願第２０１７１００６１３６２．５号の優先権を主張し、これはその全体において参照により本明細書に組み込まれる。
【０００２】
本願の実施形態は、通信技術の分野、特に、通信方法及びネットワークデバイスに関する。
【背景技術】
【０００３】
従来の無線通信システムにおいて、ネットワークデバイスは、多入力多出力（ｍｕｌｔｉ−ｉｎｐｕｔ  ｍｕｌｔｉ−ｏｕｔｐｕｔ、ＭＩＭＯ）技術を用いることにより空間多重伝送を実行するために、複数のアンテナを備え得る。言い換えれば、複数のデータストリームは、ある時間−周波数リソース上で伝送され、各データストリームは、独立した空間層上で伝送され、各空間層は、伝送用に異なるアンテナポートにマッピングされる。異なるアンテナポートから端末デバイスへのチャネルは異なるステータスを有するので、ネットワークデバイスは、各アンテナポートに対して復調基準信号（ｄｅｍｏｄｕｌａｔｉｏｎ  ｒｅｆｅｒｅｎｃｅ  ｓｉｇｎａｌ、ＤＭＲＳ）をそれぞれ構成し、ＤＭＲＳを端末デバイスに送信する必要がある。端末デバイスは、受信したＤＭＲＳを用いることにより、ネットワークデバイスと端末デバイスとの間の無線チャネルを推定して、チャネル状態情報を取得し、そして、チャネル状態情報を用いることにより、複数の空間層上にネットワークデバイスにより送信された情報を正確に取得する。
【０００４】
時分割多重化モード、周波数分割多重化モード及び符号分割多重化モードなどは、異なるアンテナポートに対応するＤＭＲＳ間で通常用いられ得る。従来の無線通信システムでは、固定された時間−周波数リソースエレメント（ｒｅｓｏｕｒｃｅ  ｅｌｅｍｅｎｔ、ＲＥ）が、ＤＭＲＳ伝送のために各アンテナポートに対して構成されている。例えば、Ｎ個（Ｎは正の整数である）のＤＭＲＳポートがシステムにおいて規定されている場合、ネットワークデバイスは、最大でＮ個の空間層上での伝送をサポートし得る。しかしながら、ネットワークデバイスは、システム内のサービスの不規則な配分に起因して、いくつかの時間区分において、すべてのＮ個の空間層をスケジューリングする必要がない。この場合、ネットワークデバイスは、対応するＤＭＲＳポートを、スケジューリングされた空間層のみに割り当てる必要がある。結果として、システムにおいて規定されたＮ個のＤＭＲＳポートのいくつかが用いられない。従来技術において、符号分割多重化モードは、ＤＭＲＳ間で主に用いられる。未使用のＤＭＲＳポートの電力は、チャネル推定性能を拡張するために、スケジューリングされたＤＭＲＳポートに用いられる。将来の新しい無線通信システムでは、時分割多重化又は周波数分割多重化が、ＤＭＲＳ間で主に用いられる。従来技術の解決手段が直接的に用いられる場合、未使用のＤＭＲＳポートに対応するＲＥは、ＤＭＲＳを送信するために用いられることもなければ、データ情報を送信するために用いられることもない。
【０００５】
結論として、ネットワークデバイスによりスケジューリングされた空間層の数が、ネットワークデバイスによりサポートされ得る空間層の最大数よりも少ない場合、１又は複数のＤＭＲＳポートが用いられることはなく、これらのＤＭＲＳポートに対応するＲＥは、ＤＭＲＳを伝送するために用いられることもなければ、データ情報を搬送するために用いられることもない。これは、通信リソースの無駄を引き起こし、システムのスペクトル効率を低減させている。
【発明の概要】
【０００６】
本願は、無線通信システムにおける通信リソースの無駄及びシステムの低スペクトル効率についての課題を解決するべく、通信方法及びネットワークデバイスを提供する。
【０００７】
第１態様によれば、本願は、通信方法を提供し、当該方法は、
ネットワークデバイスにより、ネットワークデバイスの複数の復調基準信号ＤＭＲＳポートのうちの少なくとも１つのＤＭＲＳポートに対応するリソースが第１の時間区分においてＤＭＲＳを伝送するのに用いられないことを決定する段階であって、少なくとも１つのＤＭＲＳポートは、第１のＤＭＲＳポートを含む、段階と、
ネットワークデバイスにより、端末デバイスに送信される第１のデータ情報を第１の時間区分において搬送するために用いられる第１のリソースを決定する段階であって、第１のリソースは、第１のＤＭＲＳポートに対応するリソースを含む、段階と、
ネットワークデバイスにより、端末デバイスに第１のリソースのインジケーション情報を送信する段階と、
ネットワークデバイスにより、第１のデータ情報を搬送する第１のリソースを用いることにより、端末デバイスに第１のデータ情報を送信する段階と
を含む。
【０００８】
本実施形態において、ネットワークデバイスは、ＤＭＲＳポートに対応しており、かつ、ＤＭＲＳを伝送するのに用いられないリソースを決定し、第１のデータ情報を搬送するために用いられる第１のリソースを決定し、第１のリソースは、ネットワークデバイスの複数のＤＭＲＳポートのうちの少なくとも１つのＤＭＲＳポートに対応しており、かつ、ＤＭＲＳを伝送するのに用いられていないリソースを含み、ネットワークデバイスは、端末デバイスに第１のリソースのインジケーション情報を送信する。このように、ネットワークデバイスは、アイドルリソースを用いることによりデータ情報を伝送し得る。これは、通信リソースの無駄を回避し、システムのスペクトル効率を改善する。
【０００９】
第１態様の実施形態において、方法は、
ネットワークデバイスにより、端末デバイスに送信される第２のデータ情報を第２の時間区分において搬送するために用いられる第２のリソースを決定する段階であって、第２のリソースは、ネットワークデバイスのすべてのＤＭＲＳポートに対応するリソースを含まない、段階と、
ネットワークデバイスにより、端末デバイスに第２のリソースのインジケーション情報を送信する段階と、
ネットワークデバイスにより、第２のデータ情報を搬送する第２のリソースを用いることにより、端末デバイスに第２のデータ情報を送信する段階と
をさらに含む。
【００１０】
本実施形態において、ネットワークデバイスのすべてのＤＭＲＳポートに対応するリソースが、第２のデータ情報を搬送するために用いられ得ることがない場合、ネットワークデバイスは、第２のデータ情報を搬送するために用いられる第２のリソースを決定し、第２のリソースは、ネットワークデバイスのすべてのＤＭＲＳポートに対応するリソースを含まず、ネットワークデバイスは、第２のリソースのインジケーション情報を端末デバイスに通知する。このように、ネットワークデバイスは、第２のデータ情報を搬送するのに適切な第２のリソースを選択し、そして、端末デバイスに第２のデータ情報を送信する。ネットワークデバイスと端末デバイスとの間で情報伝送が実施される。
【００１１】
第２態様によれば、本願は、通信方法を提供し、当該方法は、
端末デバイスにより、ネットワークデバイスから第１のリソースのインジケーション情報を受信する段階と、
端末デバイスにより、第１のリソースのインジケーション情報に基づいて、第１の時間区分において第１のデータ情報を搬送するネットワークデバイスにより用いられる第１のリソースを決定する段階であって、第１のリソースは、第１のＤＭＲＳポートに対応するリソースを含み、第１のＤＭＲＳポートは、ネットワークデバイスの複数のＤＭＲＳポートのうちの少なくとも１つのＤＭＲＳポートのうちの１つであり、少なくとも１つのＤＭＲＳポートに対応するリソースは、ＤＭＲＳを伝送するのに用いられない、段階と、
端末デバイスにより、第１のリソース上で搬送される第１のデータ情報をネットワークデバイスから受信する段階と
を含む。
【００１２】
本実施形態において、端末デバイスは、ネットワークデバイスから第１のリソースのインジケーション情報を受信し、第１のリソースのインジケーション情報に基づいて、第１の時間区分において第１のデータ情報を搬送するために用いられる第１のリソースを決定し、第１のリソースは、ネットワークデバイスの少なくとも１つのＤＭＲＳポートに対応しており、ＤＭＲＳを伝送するのに用いられていないリソースを含む。したがって、端末デバイスは、第１のリソース上で搬送される第１のデータ情報をネットワークデバイスから対応して受信し得る。このように、端末デバイス及びネットワークデバイスは、ネットワークデバイスのＤＭＲＳポートに対応しており、かつ、第１のデータ情報を搬送するＤＭＲＳを伝送するのに用いられていないリソースを用いることにより情報を伝送する。これは、通信リソースの無駄を回避し、システムのスペクトル効率を改善する。
【００１３】
第２態様の実施形態において、方法は、
端末デバイスにより、ネットワークデバイスから第２のリソースのインジケーション情報を受信する段階と、
端末デバイスにより、第２のリソースのインジケーション情報に基づいて、第２の時間区分において第２のデータ情報を搬送するネットワークデバイスにより用いられる第２のリソースを決定する段階であって、第２のリソースは、ネットワークデバイスのすべてのＤＭＲＳポートに対応するリソースを含まない、段階と、
端末デバイスにより、第２のリソース上で搬送される第２のデータ情報をネットワークデバイスから受信する段階と
をさらに含む。
【００１４】
端末デバイスは、ネットワークデバイスから受信した第２のリソースのインジケーション情報に基づいて、第２の時間区分において第２のデータ情報を搬送するために用いられる第２のリソースを決定し、第２のリソースは、ネットワークデバイスのすべてのＤＭＲＳポートに対応するリソースを含まない。この場合、端末デバイスは、第２のリソース上で搬送される第２のデータ情報をネットワークデバイスから受信し得る。ネットワークデバイスと端末デバイスとの間の情報伝送も実施され得る。
【００１５】
第３態様によれば、本願は、通信方法を提供し、当該方法は、
ネットワークデバイスにより、ネットワークデバイスの複数の復調基準信号ＤＭＲＳポートのうちの少なくとも１つのＤＭＲＳポートに対応するリソースが第１の時間区分においてＤＭＲＳを伝送するのに用いられないことを決定する段階であって、少なくとも１つのＤＭＲＳポートは、第１のＤＭＲＳポートを含む、段階と、
ネットワークデバイスにより、第１の時間区分において第１のデータ情報を搬送するために用いられる第１のリソースを決定する段階であって、第１のリソースは、第１のＤＭＲＳポートに対応するリソースを含む、段階と、
ネットワークデバイスにより、第１のリソースのインジケーション情報を端末デバイスに送信する段階と、
ネットワークデバイスにより、第１のリソース上で搬送される第１のデータ情報を端末デバイスから受信する段階と
を含む。
【００１６】
本実施形態において、ネットワークデバイスは、ＤＭＲＳポートに対応しており、かつ、ＤＭＲＳを伝送するのに用いられないリソースを決定し、第１のデータ情報を搬送するために用いられる第１のリソースを決定し、第１のリソースは、ネットワークデバイスの複数のＤＭＲＳポートのうちの少なくとも１つのＤＭＲＳポートに対応しており、かつ、ＤＭＲＳを伝送するのに用いられていないリソースを含み、ネットワークデバイスは、端末デバイスに第１のリソースのインジケーションメッセージを送信する。このように、端末デバイスは、ネットワークデバイスのアイドルＤＭＲＳポートに対応する第１のリソースを用いて、第１のデータ情報を搬送し得る。対応して、ネットワークデバイスは、第１のリソース上で搬送される第１のデータ情報を端末デバイスから受信し得る。これは、通信リソース利用を改善し、通信リソースの無駄を回避し、システムのスペクトル効率を改善する。
【００１７】
第３態様の実施形態において、方法は、
ネットワークデバイスにより、第２の時間区分において第２のデータ情報を搬送するために用いられる第２のリソースを決定する段階であって、第２のリソースは、ネットワークデバイスのすべてのＤＭＲＳポートに対応するリソースを含まない、段階と、
ネットワークデバイスにより、端末デバイスに第２のリソースのインジケーション情報を送信する段階と、
ネットワークデバイスにより、第２のリソース上で搬送される第２のデータ情報を端末デバイスから受信する段階と
をさらに含む。
【００１８】
本技術的解決手段において、ネットワークデバイスは、第２のデータ情報を搬送するために用いられる第２のリソースを決定し、第２のリソースは、ネットワークデバイスのすべてのＤＭＲＳポートに対応するリソースを含まず、ネットワークデバイスは、第２のリソースのインジケーション情報を端末デバイスに通知する。対応して、ネットワークデバイスは、第２のリソース上で搬送される第２のデータ情報を端末デバイスから受信し得る。ネットワークデバイスと端末デバイスとの間の情報伝送も実施される。
【００１９】
第４態様によれば、本願は、通信方法を提供し、当該方法は、
端末デバイスにより、ネットワークデバイスから第１のリソースのインジケーション情報を受信する段階と、
端末デバイスにより、第１のリソースのインジケーション情報に基づいて、第１の時間区分において第１のデータ情報を搬送するために用いられる第１のリソースを決定する段階であって、第１のリソースは、第１のＤＭＲＳポートに対応するリソースを含み、第１のＤＭＲＳポートは、ネットワークデバイスの複数のＤＭＲＳポートのうちの少なくとも１つのＤＭＲＳポートのうちの１つであり、少なくとも１つのＤＭＲＳポートに対応するリソースは、ＤＭＲＳを伝送するのに用いられない、段階と、
端末デバイスにより、第１のデータ情報を搬送する第１のリソースを用いることにより、第１のデータ情報をネットワークデバイスに送信する段階と
を含む。
【００２０】
本技術的解決手段において、端末デバイスは、ネットワークデバイスから受信した第１のリソースのインジケーション情報に基づいて、第１の時間区分において第１のデータ情報を搬送するために用いられる第１のリソースを決定し、第１のリソースは、ネットワークデバイスの複数のＤＭＲＳポートのうちの少なくとも１つのＤＭＲＳポートに対応しており、かつ、ＤＭＲＳを伝送するのに用いられていないリソースを含む。端末デバイスは、第１のデータ情報を搬送する第１のリソースを用いることにより、ネットワークデバイスに第１のデータ情報を送信する。このように、端末デバイスは、アイドルＤＭＲＳポートに対応するリソース上で第１のデータ情報を伝送し得る。これは、通信リソースの利用効率を改善し、システムのスペクトル効率を改善する。
【００２１】
第４態様の実施形態において、方法は、
端末デバイスにより、ネットワークデバイスから第２のリソースのインジケーション情報を受信する段階と、
端末デバイスにより、第２のリソースのインジケーション情報に基づいて、第２の時間区分において第２のデータ情報を搬送するために用いられる第２のリソースを決定する段階であって、第２のリソースは、ネットワークデバイスのすべてのＤＭＲＳポートに対応するリソースを含まない、段階と、
端末デバイスにより、第２のデータ情報を搬送する第２のリソースを用いることにより第２のデータ情報をネットワークデバイスに送信する段階と
をさらに含む。
【００２２】
本実施形態において、端末デバイスは、第２のリソースの受信したインジケーション情報に基づいて、第２の時間区分において第２のデータ情報を搬送するために用いられる第２のリソースを決定し、第２のリソースがネットワークデバイスのすべてのＤＭＲＳポートに対応するリソースを含まないことを知る。このように、端末デバイスは、第２のデータ情報を搬送する第２のリソースを用いることにより、ネットワークデバイスに第２のデータ情報を送信し得る。したがって、ネットワークデバイスのすべてのＤＭＲＳポートに対応するリソースが第２のデータ情報を搬送するために用いられない場合、端末デバイスとネットワークデバイスとの間のアップリンク伝送も実施され得る。
【００２３】
前述の態様及び本願の態様の実施形態において提供される通信方法では、第２のリソースのインジケーション情報及び第１のリソースのインジケーション情報の意味は、以下の可能な実装を用いることにより実施され得る。
【００２４】
任意選択的に、第２のリソースのインジケーション情報は、第２のリソースがＤＭＲＳポート対応するリソースを含まないことを示す情報を含む。
【００２５】
任意選択的に、第２のリソースのインジケーション情報は、第２のリソースに含まれるシンボルのインデックスを示すために用いられる情報を含む。
【００２６】
任意選択的に、第１態様及び第３態様の実施形態において、ネットワークデバイスにより、第２のリソースのインジケーション情報を端末デバイスに送信する段階は、
ネットワークデバイスにより、ＵＥ固有のシグナリング又はセル固有／共通のシグナリングを用いることにより、第２のリソースのインジケーション情報を端末デバイスに送信する段階を含む。
【００２７】
任意選択的に、第１態様及び第３態様の別の実施形態において、ネットワークデバイスにより、第２のリソースのインジケーション情報を端末デバイスに送信する段階は、
ネットワークデバイスにより、第２のリソースのインジケーション情報を搬送する物理ダウンリンク制御チャネルＰＤＣＣＨを用いることにより、第２のリソースのインジケーション情報を端末デバイスに送信する段階を含む。
【００２８】
対応して、第２態様及び第４態様の実施形態において、端末デバイスにより、ネットワークデバイスから第２のリソースのインジケーション情報を受信する段階は、
端末デバイスにより、ＵＥ固有のシグナリング又はセル固有／共通のシグナリングを用いることにより、ネットワークデバイスから第２のリソースのインジケーション情報を受信する段階を含む。
【００２９】
任意選択的に、第２態様及び第４態様の別の実施形態において、端末デバイスにより、ネットワークデバイスから第２のリソースのインジケーション情報を受信する段階は、
端末デバイスにより、物理ダウンリンク制御チャネルＰＤＣＣＨ上で搬送される第２のリソースのインジケーション情報をネットワークデバイスから受信する段階を含む。
【００３０】
任意選択的に、第１のリソースのインジケーション情報は、第１のＤＭＲＳポートに対応するリソースを示すために用いられる情報を含む。
【００３１】
任意選択的に、第１のＤＭＲＳポートに対応するリソースに関する情報は、第１のＤＭＲＳポートのポート番号、又は、第１のＤＭＲＳポートに対応するリソースのインデックスを含む。
【００３２】
任意選択的に、第１のリソースのインジケーション情報は、複数のＤＭＲＳポート内の第１のＤＭＲＳポート以外の第２のＤＭＲＳポートに対応するリソースを示すために用いられる情報を含む。
【００３３】
任意選択的に、第１のリソースのインジケーション情報は、第１のリソース内の第１のＤＭＲＳポートに対応するリソース以外の第３のリソースのインジケーション情報を含む。
【００３４】
任意選択的に、第３のリソースのインジケーション情報は、第３のリソースに含まれるシンボルのインデックスを示すために用いられる情報を含む。
【００３５】
任意選択的に、第１態様及び第３態様のさらに別の実施形態において、ネットワークデバイスにより、第１のリソースのインジケーション情報を端末デバイスに送信する段階は、
ネットワークデバイスにより、ＵＥ固有のシグナリング又はセル固有／共通のシグナリングを用いることにより、第１のリソースのインジケーション情報を端末デバイスに送信する段階を含む。
【００３６】
任意選択的に、第１態様及び第３態様のさらに別の実施形態において、ネットワークデバイスにより、第１のリソースのインジケーション情報を端末デバイスに送信する段階は、
ネットワークデバイスにより、第１のリソースのインジケーション情報を搬送する物理ダウンリンク制御チャネルＰＤＣＣＨを用いることにより、第１のリソースのインジケーション情報を端末デバイスに送信する段階を含む。
【００３７】
対応して、第２態様及び第４態様のさらに別の実施形態において、端末デバイスにより、ネットワークデバイスから第１のリソースのインジケーション情報を受信段階は、
端末デバイスにより、ＵＥ固有のシグナリング又はセル固有／共通のシグナリングを用いることにより、ネットワークデバイスから第１のリソースのインジケーション情報を受信する段階を含む。
【００３８】
任意選択的に、第２態様及び第４態様のさらに別の実施形態において、端末デバイスにより、ネットワークデバイスから第１のリソースのインジケーション情報を受信段階は、
端末デバイスにより、物理ダウンリンク制御チャネルＰＤＣＣＨ上で搬送される第１のリソースのインジケーション情報をネットワークデバイスから受信する段階を含む。
【００３９】
第５態様によれば、本願の実施形態は、ネットワークデバイスを提供する。ネットワークデバイスは、プロセッサとメモリとを含み、メモリは、プログラムを格納するように構成され、プロセッサは、メモリに格納されたプログラムを呼び出して、本願の第１態様において提供される方法を実行する。
【００４０】
第６態様によれば、本願の実施形態は、端末デバイスを提供する。端末デバイスは、プロセッサとメモリとを含み、メモリは、プログラムを格納するように構成され、プロセッサは、メモリに格納されたプログラムを呼び出して、本願の第２態様において提供される方法を実行する。
【００４１】
第７態様によれば、本願の実施形態は、ネットワークデバイスを提供する。ネットワークデバイスは、プロセッサとメモリとを含み、メモリは、プログラムを格納するように構成され、プロセッサは、メモリに格納されたプログラムを呼び出して、本願の第３態様において提供される方法を実行する。
【００４２】
第８態様によれば、本願の実施形態は、端末デバイスを提供する。端末デバイスは、プロセッサとメモリとを含み、メモリは、プログラムを格納するように構成され、プロセッサは、メモリに格納されたプログラムを呼び出して、本願の第４態様において提供される方法を実行する。
【００４３】
第９態様によれば、本願の実施形態は、ネットワークデバイスを提供し、ネットワークデバイスは、第１態様における方法を実行するように構成される少なくとも１つの処理要素（又はチップ）を含む。
【００４４】
第１０態様によれば、本願の実施形態は、端末デバイスを提供し、端末デバイスは、第２態様における方法を実行するように構成される少なくとも１つの処理要素（又はチップ）を含む。
【００４５】
第１１態様によれば、本願の実施形態は、ネットワークデバイスを提供し、ネットワークデバイスは、第３態様における方法を実行するように構成される少なくとも１つの処理要素（又はチップ）を含む。
【００４６】
第１２態様によれば、本願の実施形態は、端末デバイスを提供し、端末デバイスは、第４態様における方法を実行するように構成される少なくとも１つの処理要素（又はチップ）を含む。
【００４７】
第１３態様によれば、本願の実施形態は、通信システムを提供する。システムは、第５態様におけるネットワークデバイスと、第６態様における端末デバイスとを含み、システムは、第７態様におけるネットワークデバイスと、第８態様における端末デバイスとを含む。
【００４８】
第１４態様によれば、本願の実施形態は、コンピュータ可読記憶媒体を提供する。コンピュータ可読記憶媒体は命令を格納し、命令がコンピュータ上で実行される場合、コンピュータは、第１態様における方法を実行することが可能になる。
【００４９】
第１５態様によれば、本願の実施形態は、命令を含むコンピュータプログラム製品を提供し、命令がコンピュータ上で実行される場合、コンピュータは、第１態様における方法を実行することが可能になる。
【００５０】
第１６態様によれば、本願の実施形態は、コンピュータ可読記憶媒体を提供する。コンピュータ可読記憶媒体は命令を格納し、命令がコンピュータ上で実行される場合、コンピュータは、第２態様における方法を実行することが可能になる。
【００５１】
第１７態様によれば、本願の実施形態は、命令を含むコンピュータプログラム製品を提供し、命令がコンピュータ上で実行される場合、コンピュータは、第２態様における方法を実行することが可能になる。
【００５２】
第１８態様によれば、本願の実施形態は、コンピュータ可読記憶媒体を提供する。コンピュータ可読記憶媒体は命令を格納し、命令がコンピュータ上で実行される場合、コンピュータは、第３態様における方法を実行することが可能になる。
【００５３】
第１９態様によれば、本願の実施形態は、命令を含むコンピュータプログラム製品を提供し、命令がコンピュータ上で実行される場合、コンピュータは、第３態様における方法を実行することが可能になる。
【００５４】
第２０態様によれば、本願の実施形態は、コンピュータ可読記憶媒体を提供する。コンピュータ可読記憶媒体は命令を格納し、命令がコンピュータ上で実行される場合、コンピュータは、第４態様における方法を実行することが可能になる。
【００５５】
第２１態様によれば、本願の実施形態は、命令を含むコンピュータプログラム製品を提供し、命令がコンピュータ上で実行される場合、コンピュータは、第４態様における方法を実行することが可能になる。
【００５６】
前述の態様において、ネットワークデバイスが端末デバイスとのダウンリンク伝送を実行する場合、ネットワークデバイスは、ネットワークデバイスの複数のＤＭＲＳポートのうちの少なくとも１つのＤＭＲＳポートに対応するリソースが、第１の時間区分においてＤＭＲＳを伝送するのに用いられないことを決定し、端末デバイスに送信される第１のデータ情報を搬送するために用いられる第１のリソースを決定し、第１のリソースは、少なくとも１つのＤＭＲＳポートに対応しており、かつ、ＤＭＲＳを伝送するのに用いられないリソースを含む。ネットワークデバイスは、第１のリソースのインジケーション情報を端末デバイスに送信する。端末デバイスは、第１のリソースの受信したインジケーション情報に基づいて、第１の時間区分において第１のデータ情報を搬送するために用いられる第１のリソースを決定し、第１のリソース上で搬送される第１のデータ情報をネットワークデバイスから受信する。このように、ネットワークデバイス及び端末デバイスは、アイドルリソースを用いることによりデータ情報を伝送し得る。これは、通信リソースの無駄を回避し、スペクトル効率を改善する。ネットワークデバイスが端末デバイスとのアップリンク伝送を実行する場合、ネットワークデバイスは、ネットワークデバイスの複数のＤＭＲＳポートのうちの少なくとも１つのＤＭＲＳポートに対応するリソースが、第１の時間区分においてＤＭＲＳを伝送するのに用いられないことを決定し、第１のデータ情報を搬送するために用いられる第１のリソースを決定し、第１のリソースは、少なくとも１つのＤＭＲＳポートに対応しており、かつ、ＤＭＲＳを伝送するのに用いられないリソースを含む。ネットワークデバイスは、第１のリソースのインジケーション情報を端末デバイスに送信する。端末デバイスは、第１のリソースの受信したインジケーション情報に基づいて、第１のデータ情報を搬送するために用いられる第１のリソースを決定し、最後に、第１のデータ情報を搬送する第１のリソースを用いることにより、ネットワークデバイスに第１のデータ情報を送信する。このように、端末デバイス及びネットワークデバイスは、ネットワークデバイスのアイドルＤＭＲＳポートに対応するリソースを用いることにより、アップリンクデータ情報伝送を実行し得る。これは、スペクトル効率を改善する。
【図面の簡単な説明】
【００５７】
【図１】本願の実施形態に係る通信システムの概略構造図である。
【００５８】
【図２】通信システムにおけるアンテナポートのＤＭＲＳパターンについての概略図である。
【００５９】
【図３】図２に示される実施形態に係るネットワークデバイスにより、いくつかのＤＭＲＳポートのみをスケジューリングする概略図である。
【００６０】
【図４】本願の実施形態に係る通信方法の概略相互作用図である。
【００６１】
【図５】本願の実施形態に係る別の通信方法の概略相互作用図である。
【００６２】
【図６】本願の実施形態に係る別の通信方法の概略相互作用図である。
【００６３】
【図７】本願の実施形態に係るさらに別の通信方法の概略相互作用図である。
【００６４】
【図８】本願の実施形態に係るネットワークデバイスの概略構造図である。
【００６５】
【図９】本願の実施形態に係る端末デバイスの概略構造図である。
【００６６】
【図１０】本願の実施形態に係る別のネットワークデバイスの概略構造図である。
【００６７】
【図１１】本願の実施形態に係る別の端末デバイスの概略構造図である。
【００６８】
【図１２】本願の実施形態に係るさらに別のネットワークデバイスの概略構造図である。
【００６９】
【図１３】本願の実施形態に係るさらに別の端末デバイスの概略構造図である。
【００７０】
【図１４】本願の実施形態に係るさらに別のネットワークデバイスの概略構造図である。
【００７１】
【図１５】本願の実施形態に係るさらに別の端末デバイスの概略構造図である。
【００７２】
【図１６】本願の実施形態に係る通信システムの概略構造図である。
【発明を実施するための形態】
【００７３】
以下の本願の実施形態において提供される通信方法は、通信システムに適用可能である。図１は、本願の実施形態に係る通信システムの概略構造図である。図１に示されるように、通信システムは、少なくとも１つのネットワークデバイス１１０及びネットワークデバイス１１０のカバレッジエリア内に位置する複数の端末デバイス１２０を含んでよい。図１は、例において、１つのネットワークデバイス及び２つの端末デバイスを示す。任意選択的に、通信システムは、複数のネットワークデバイスを含んでよく、別の数の端末デバイスが、各ネットワークデバイスのカバレッジエリアに含まれてもよい。これは、本願の本実施形態において限定されるものではない。
【００７４】
言い換えれば、本願の実施形態において提供される通信方法は、通信システム内のネットワークデバイスと端末デバイスとの間の情報伝送に適用されてよい。情報伝送は、ネットワークデバイスから端末デバイスに送信される情報のダウンリンク伝送であってよく、又は、端末デバイスにより送信されてネットワークデバイスにより受信される情報のアップリンク伝送であってよいことを理解されたい。特定のモードが、実際の要件にしたがって決定されるが、本明細書において限定されることはない。
【００７５】
任意選択的に、通信システムは、他のネットワークエンティティ、例えば、ネットワークコントローラ及びモビリティ管理エンティティをさらに含んでよい。これは、本願の実施形態において限定されるものではない。
【００７６】
本願の実施形態は、通信システム、例えば、モバイル通信用のグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、一般パケット無線サービス（Ｇｅｎｅｒａｌ  Ｐａｃｋｅｔ  Ｒａｄｉｏ  Ｓｅｒｖｉｃｅ、  ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥの周波数分割複信（ｆｒｅｑｕｅｎｃｙ  ｄｉｖｉｓｉｏｎ  ｄｕｐｌｅｘｉｎｇ、ＦＤＤ）システム、ＬＴＥの時分割複信（ｔｉｍｅ  ｄｉｖｉｓｉｏｎ  ｄｕｐｌｅｘｉｎｇ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、及び、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）技術を用いる別の無線通信システムに適用されてよい。本願の実施形態において説明されるネットワークアーキテクチャ及びサービスシナリオは、本願の実施形態における技術的解決手段をより明確に説明することを目的としているが、本願の実施形態において提供される技術的解決手段に制限を設けることはない。当業者であれば、ネットワークアーキテクチャの進化及び新たなサービスシナリオの出現を伴って、本願の実施形態において提供される技術的解決手段もまた、同様の技術的な課題を解決するために適用可能であることを知り得る。
【００７７】
本願の実施形態におけるネットワークデバイスは、端末デバイスに無線通信機能を提供するように構成されてよい。ネットワークデバイスは、様々な形式でマクロ基地局、マイクロ基地局（スモールセルとも称される）、リレーノード及びアクセスポイントなどを含んでよい。ネットワークデバイスは、ＧＳＭ（登録商標）又はＣＤＭＡにおけるベーストランシーバ基地局（ｂａｓｅ  ｔｒａｎｓｃｅｉｖｅｒ  ｓｔａｔｉｏｎ、ＢＴＳ）であってよく、ＷＣＤＭＡ（登録商標）におけるノードＢ（ｎｏｄｅＢ、ＮＢ）であってよく、ＬＴＥにおける進化型ノードＢ（ｅｖｏｌｖｅｄ  ｎｏｄｅＢ、  ｅＮＢ又はｅ−ノードＢ）であってよく、又は、５Ｇネットワークにおける対応するデバイスｇＮＢであってもよい。説明しやすくするために、本願のすべての実施形態において、端末デバイスに無線通信機能を提供するすべての前述の装置は、まとめてネットワークデバイスと称される。
【００７８】
本願の実施形態において、端末デバイスは、ユーザ機器（Ｕｓｅｒ  Ｅｑｕｉｐｍｅｎｔ、ＵＥ）、移動局（ｍｏｂｉｌｅ  ｓｔａｔｉｏｎ、ＭＳ）、モバイル端末（ｍｏｂｉｌｅ  ｔｅｒｍｉｎａｌ）又は端末（ｔｅｒｍｉｎａｌ）などとも称される。端末デバイスは、無線アクセスネットワーク（ｒａｄｉｏ  ａｃｃｅｓｓ  ｎｅｔｗｏｒｋ、ＲＡＮ）を通じて１又は複数のコアネットワークと通信してよい。例えば、端末デバイスは、携帯電話（「セルラ」フォンとも称される）、まあは、モバイル端末付きのコンピュータなどであってよい。例えば、端末デバイスは、無線アクセスネットワークと音声及び／又はデータを交換するポータブル、ポケットサイズ、ハンドヘルド、コンピュータ内蔵式、又は、車載モバイル装置であってよい。これは、本願の実施形態において具体的に限定されるものではない。
【００７９】
本願の実施形態において、「複数の」は、２又は２より多いことを指す。用語「及び／又は」は、関連する対象間の対応関係を説明し、３つの関係が存在し得ることを示す。例えば、Ａ及び／又はＢは、Ａのみが存在する場合、Ａ及びＢの両方が存在する場合、及び、Ｂのみが存在する場合の３つの場合を示し得る。符号「／」は、関連する対象との間の「又は」の関係を通常表す。
【００８０】
以下では、本願の実施形態の適用可能なシナリオを簡潔に説明する。
【００８１】
無線通信システムは、既存のロングタームエボリューション／ロングタームエボリューションアドバンスト通信システム、及び、開発中である新しい無線（ｎｅｗ  ＲＡＴ、ＮＲ）システムを含む。無線通信システムにおいて、直交周波数分割多元接続モードは、ダウンリンク多元接続モードのために通常用いられる。直交周波数分割多元接続モードの主な特性は、伝送リソースが、直交ＲＥに分割されること、及び、送信端により送信される信号が、受信端に伝送されるＲＥ上で搬送されることにある。異なるＲＥが互いに直交しているので、受信端は、各ＲＥ上に送信された信号を別々に受信し得る。
【００８２】
送信端と受信端との間の無線チャネルのフェージング特性を考慮すると、ＲＥ上で搬送される信号は、チャネルを通じて伝送された後に歪められる。概して、歪みはチャネル係数と称される。受信端において信号を回復するために、受信端は、チャネル係数を推定する必要がある。従来技術では、パイロットベースの解決手段が通常用いられている。具体的には、送信端は、特定のＲＥ上で既知の信号を伝送し、受信端は、受信した信号及び既知の信号に基づいてチャネル係数を推定し、当該推定を通じて取得したチャネル係数に基づいて別のＲＥ上のチャネル係数に対する補間を実行し、そして、推定されたチャネル係数を用いることにより、データ信号を受信して復調する。
【００８３】
本願の実施形態は、将来の新しい無線通信システムを主に対象としており、時分割多重化又は周波数分割多重化が、ＤＭＲＳ間で主に用いられる。従来技術の解決手段が、依然として直接的に用いられる場合、未使用のＤＭＲＳポートに対応するＲＥは、ＤＭＲＳを伝送するために用いられることもなければ、データ情報を送信するために用いられることもなく、その結果、システムの通信リソース及び低スペクトル効率を無駄にする。本願は、通信リソースの無駄を回避するべく、通信方法及びネットワークデバイスを提供し、システムのスペクトル効率を改善する。
【００８４】
実施形態では、通信システムのスペクトル効率を改善するために、ネットワークデバイスは、ネットワークデバイスの複数のＤＭＲＳポートの使用状況をまず決定する必要がある。ネットワークデバイスの複数のＤＭＲＳポートの使用状況を決定することが説明される前に、通信システム内のＤＭＲＳアンテナポートの多重化モードが最初に簡潔に説明される。
【００８５】
図２は、通信システムにおけるアンテナポートのＤＭＲＳパターンについての概略図である。図２に示されるように、任意選択的に、ネットワークデバイスは、ＭＩＭＯ技術を用いることにより空間多重伝送を実装するために、８本のアンテナを備えてよい、すなわち、８つのＤＭＲＳポートは、通信システム内に規定されている。したがって、ネットワークデバイスは、最大で８つの空間層上での伝送をサポートできる。図２に示されるように、時分割／周波数分割多重化モードがＤＭＲＳポートにおいて用いられる。ＤＭＲＳパターンの概略図において、横方向は時間領域を表し、縦方向は周波数領域を表し、各小さいブロックはＲＥを表し、ＤＭＲＳポート１及びＤＭＲＳポート２に対応するＲＥの位置は、アンテナポート１及びアンテナポート２におけるＤＭＲＳの伝送位置を表し、アンテナポート１及びアンテナポート２は、直交符号分割方式で多重化される。ＤＭＲＳポート３及びＤＭＲＳポート４、ＤＭＲＳポート５及びＤＭＲＳポート６、並びに、ＤＭＲＳポート７及びＤＭＲＳポート８の配置及び多重化モードは、ＤＭＲＳポート１及びＤＭＲＳポート２のこれらと同様である。ここでは詳細は説明しない。概して、１つのアンテナポートに対応しており、かつ、ＤＭＲＳを伝送するために用いられるＲＥの時間領域リソース、周波数領域リソース及び符号領域リソースは、アンテナポートのＤＭＲＳパターンと称される。
【００８６】
図３は、図２に示される実施形態に係るネットワークデバイスにより、いくつかのＤＭＲＳポートをスケジューリングする概略図である。図３に示されるように、８つのＤＭＲＳポートが、通信システム内に規定される、すなわち、ネットワークデバイスは、最大で８つの空間層上での伝送をサポートする。ネットワークデバイスは、２つの空間層のみをスケジューリングし、ＤＭＲＳポート１及びＤＭＲＳポート２は、２つの空間層のみに割り当てられる。図３に示されるように、ネットワークデバイスは、ＤＭＲＳポート１及びＤＭＲＳポート２に対応するＲＥ上のみに情報を伝送し、規定されたＤＭＲＳポート３、４、５、６、７及び８に対応するＲＥは、ＤＭＲＳを伝送するために用いられることもなければ、データ情報を送信するために用いられることもない。
【００８７】
図４は、本願の実施形態に係る通信方法の概略相互作用図である。図４に示されるように、方法は、以下の段階を含んでよい。
【００８８】
Ｓ４０１．ネットワークデバイスは、ネットワークデバイスの複数のＤＭＲＳポートのうちの少なくとも１つのＤＭＲＳポートに対応するリソースが、第１の時間区分においてＤＭＲＳを伝送するのに用いられないことを決定する。
【００８９】
少なくとも１つのＤＭＲＳポートは、第１のＤＭＲＳポートを含む。
【００９０】
本実施形態において、ネットワークデバイスが端末デバイスに情報を送信する必要がある場合、ネットワークデバイスは、まず、情報を送信するために必要とされる第１の時間区分を決定する。任意選択的に、第１の時間区分は、情報を送信するためにネットワークデバイスにより占有される持続時間（ｄｕｒａｔｉｏｎ）であってよい。例えば、第１の時間区分は、具体的には、１又は複数のサブフレーム（ｓｕｂｆｒａｍｅ）であってよく、１又は複数のスロット（ｓｌｏｔ）であってもよく、１又は複数のミニスロット（ｍｉｎｉ−ｓｌｏｔ）であってもよく、又は、１又は複数のシンボルであってもよい。これは本明細書において限定されるものではない。持続時間が複数のサブフレーム／スロット／ミニスロット／シンボルである場合、複数のサブフレーム／スロット／ミニスロット／シンボルは、連続的なサブフレーム／スロット／ミニスロット／シンボルであってよく、又は、完全に連続的ではないサブフレーム／スロット／ミニスロット／シンボルであってもよい。これは本明細書において限定されるものではない。そして、ネットワークデバイスは、ネットワークデバイスの複数のＤＭＲＳポートのうちの少なくとも１つのＤＭＲＳポートに対応するリソースが、第１の時間区分においてＤＭＲＳを伝送するのに用いられないことを決定する。言い換えれば、ネットワークデバイスはすべての空間層をスケジューリングしているわけではなく、少なくとも１つのＤＭＲＳポートに対応する未使用のリソースが存在する。
【００９１】
実施形態において、ＤＭＲＳを伝送するのに用いられないリソースが対応する少なくとも１つのＤＭＲＳポートは、第１のＤＭＲＳポートを含み、第１のＤＭＲＳポートは、ネットワークデバイスの複数のＤＭＲＳポートのうちの１又は複数である。本明細書において、第１のＤＭＲＳポートの数が限定されることはない。
【００９２】
Ｓ４０２．ネットワークデバイスは、端末デバイスに送信される第１のデータ情報を第１の時間区分において搬送するために用いられる第１のリソースを決定する。
【００９３】
本実施形態において、第１のリソースは、第１のＤＭＲＳポートに対応するリソースを含む。
【００９４】
任意選択的に、ネットワークデバイスが端末デバイスに第１のデータ情報を送信する必要がある場合、ネットワークデバイスは、まず、第１の時間区分において第１のデータ情報を伝送するために用いられるベアラ、すなわち、第１のデータ情報を搬送するために用いられる第１のリソースを決定する。本実施形態における第１のデータ情報は、第１の時間区分において伝送されるデータ情報である。
【００９５】
任意選択的に、ネットワークデバイスにより決定される第１のリソースは、第１のＤＭＲＳポートに対応するリソース、及び、第１のＤＭＲＳポートに対応するリソース以外の第３のリソースを含む。
【００９６】
任意選択的に、第３のリソースは、ネットワークデバイスにより予め定められており、かつ、第１の時間区分において物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を送信するために用いられるリソースである。本実施形態では、第１のＤＭＲＳポートに対応するリソースは、データ情報を搬送するために用いられることに留意されたい。しかしながら、これは、本明細書において、第１のＤＭＲＳポートに対応するリソースがデータ情報のみを搬送するために用いられ得ることに限定されるものではない。別の実施形態において、リソースは、制御情報を搬送するために用いられてもよい。
【００９７】
さらに、第１のＤＭＲＳポートに対応するリソースは、第１の時間区分においてＤＭＲＳを伝送するのに用いられないことが前述の段階から知ることができる。したがって、ネットワークデバイスは、第１のデータ情報を搬送するために、第１のＤＭＲＳポートに対応するリソース及び別の未使用のリソースを用いてよい。本実施形態において、ネットワークデバイスにより決定され、かつ、第１の時間区分において第１のデータ情報を搬送するために用いられ得るリソースは、まとめて第１のリソースと称される。
【００９８】
Ｓ４０３．ネットワークデバイスは、第１のリソースのインジケーション情報を端末デバイスに送信する。
【００９９】
任意選択的に、ネットワークデバイスが第１のデータ情報を搬送するために用いられる第１のリソースを決定した後に、ネットワークデバイスは、第１のリソースのインジケーション情報を端末デバイスに送信する。そのため、端末デバイスは、第１のリソースのインジケーション情報に基づいて、ネットワークデバイスが第１のデータ情報を送信する場合に、第１のデータ情報を搬送するために用いられる第１のリソースを決定してよい。
【０１００】
任意選択的に、第１のリソースのインジケーション情報は、第１のＤＭＲＳポートに対応するリソースを示すために用いられる情報を含む。第１のＤＭＲＳポートに対応するリソースが第１の時間区分においてＤＭＲＳを伝送するのに用いられないので、第１のＤＭＲＳポートに対応するリソースは、第１のデータ情報を伝送するために用いられる。
【０１０１】
例において、第１のＤＭＲＳポートに対応するリソースに関する情報は、第１のＤＭＲＳポートのポート番号を含む。この場合、端末デバイスは、第１のＤＭＲＳポートのポート番号に基づいて、第１のＤＭＲＳポートに対応しており、かつ、第１のデータ情報を搬送するリソースを決定してよい。
【０１０２】
例えば、第１のＤＭＲＳポートに対応するリソースのインジケーション情報は、２ビットのフィールドを占有してよい。この場合、複数のＤＭＲＳポートが２つのＤＭＲＳポートを含む場合が例として用いられ、２ビットのフィールドインジケーション情報の意味が表１に示され得る。表１は、第１のリソースのインジケーション情報が２ビットのフィールドである場合のインジケーション情報の意味を示す。例えば、状態０１は、ＤＭＲＳポート１を示す。この場合、端末デバイスは、ＤＭＲＳポート１に対応するリソースが第１のデータ情報を搬送すると決定してよい。状態１０は、ＤＭＲＳポート２を示す。この場合、端末デバイスは、ＤＭＲＳポート２に対応するリソースが第１のデータ情報を搬送すると決定してよい。状態１１は、ＤＭＲＳポート１及びＤＭＲＳポート２を示す。この場合、端末デバイスは、ＤＭＲＳポート１及びＤＭＲＳポート２に対応するリソースが第１のデータ情報を搬送すると決定してよい。フィールドは、予約状態インジケーション、例えば、表１における状態００をさらに含んでよい。この状態は、いずれのＤＭＲＳポートも示していないものとして理解され得る。この場合、端末デバイスは、ＤＭＲＳポート１及びＤＭＲＳポート２を含むすべてのＤＭＲＳポートに対応するリソースが第１のデータ情報を搬送しないと決定する。
【表１】
2020507290.tif 000003
【０１０３】
任意選択的に、第１のＤＭＲＳポートに対応するリソースのインジケーション情報は、４ビットのフィールドであってよい。この場合、複数のＤＭＲＳポートが８つのＤＭＲＳポートを含む場合が例として用いられ、４ビットのフィールドインジケーション情報の意味が表２に示され得る。表２は、第１のリソースのインジケーション情報が４ビットのフィールドである場合のｉ番目のビットを意味するインジケーションを示す。例えば、４ビットのフィールド内の（ｉ（ｉ＝１、２、３、４））番目のビットは、ＤＭＲＳポート（２ｉ−１）及びＤＭＲＳポート２ｉを示すために用いられる。状態０は、予約状態を示し、又は、ＤＭＲＳポート（２ｉ−１）及びＤＭＲＳポート２ｉを示さないものとして理解される。この場合、端末デバイスは、ＤＭＲＳポート（２ｉ−１）及びＤＭＲＳポート２ｉに対応するリソースが第１のデータ情報を搬送しないと決定する。状態１は、ＤＭＲＳポート（２ｉ−１）及びＤＭＲＳポート２ｉを示す。この場合、端末デバイスは、ＤＭＲＳポート（２ｉ−１）及びＤＭＲＳポート２ｉに対応するリソースが第１のデータ情報を搬送すると決定する。
【表２】
2020507290.tif 000004
【０１０４】
第１のＤＭＲＳポートに対応するリソースのインジケーション情報に含まれるフィールドのビットの数は、代わりに、２及び４を除く別の値であってよく、フィールドの各状態を意味するインジケーションは、表１及び表２にあるものに限定されないことに留意されたい。第１のＤＭＲＳポートに対応するリソースのインジケーション情報に含まれるフィールドのビットの数、及び、対応するフィールドの各状態を意味するインジケーションは、実際の要件にしたがって決定されてよい。これは、本実施形態において限定されることはない。
【０１０５】
別の例において、第１のＤＭＲＳポートに対応するリソースに関する情報は、第１のＤＭＲＳポートに対応するリソースのインデックスを含む。インデックスは、第１のＤＭＲＳポートに対応するリソースの番号又はシーケンス番号として理解され得る。これは本明細書において限定されるものではない。この場合、端末デバイスは、第１のＤＭＲＳポートに対応するリソースのインデックスに関する情報に基づいて、第１のデータ情報を搬送する第１のリソースを決定してよい。
【０１０６】
例えば、第１のＤＭＲＳポートに対応するリソースのインデックスのインジケーション情報は、２ビットのフィールドであってよい。この場合、複数のＤＭＲＳポートが２つのＤＭＲＳポートを含む場合が例として用いられる。ＤＭＲＳポート１に対応するリソースがリソース１（ｒｅｓｏｕｒｃｅ  ｉｎｄｅｘ  １）であり、ＤＭＲＳポート２に対応するリソースがリソース２である。２ビットのフィールドインジケーション情報の意味は、表１に示され得る。表３は第１のリソースのインジケーション情報が２ビットのフィールドである場合のインジケーション情報の意味を示す。例えば、状態０１は、リソース１を示す。この場合は、端末デバイスは、リソース１が第１のデータ情報を搬送すると決定してよい。状態１０は、リソース２を示す。この場合は、端末デバイスは、リソースに対応するリソース２が第１のデータ情報を搬送すると決定してよい。状態１１は、リソース１及びリソース２を示す。この場合、端末デバイスは、リソース１及びリソース２の両方が第１のデータ情報を搬送すると決定してよい。フィールドは、予約状態インジケーション、例えば、表１における状態００をさらに含んでよい。当該状態は、いずれのリソースも示していないものとして理解され得る。この場合、端末デバイスは、リソース１及びリソース２のどちらも第１のデータ情報を搬送しないと決定する。
【表３】
2020507290.tif 000005
【０１０７】
第１のＤＭＲＳポートに対応するリソースのインデックスのインジケーション情報は、代わりに、４ビットのフィールドであってよい。この場合、複数のＤＭＲＳポートが８つのＤＭＲＳポートを含む場合が例として用いられ、ＤＭＲＳポート（２ｉ−１）及びＤＭＲＳポート２ｉ（ｉ＝１、２、３、４）に対応するリソースがリソースｉである。４ビットのフィールドインジケーション情報の意味が表４に示され得る。表４は、第１のＤＭＲＳポートに対応するリソースのインデックスのインジケーション情報が４ビットのフィールドである場合のｉ番目のビットを意味するインジケーションを示す。例えば、４ビットのフィールド内の（ｉ（ｉ＝１、２、３、４））番目のビットは、リソースｉに対応している。状態０は、予約状態を示し、又は、リソースｉを示さないものとして理解される。この場合、端末デバイスは、リソースｉが第１のデータ情報を搬送しないと決定する。状態１はリソースｉを示す。この場合、端末デバイスは、リソースｉが第１のデータ情報を搬送すると決定する。
【表４】
2020507290.tif 000006
【０１０８】
任意選択的に、第１のリソースのインジケーション情報は、複数のＤＭＲＳポート内の第１のＤＭＲＳポート以外の第２のＤＭＲＳポートに対応するリソースを示すために用いられる情報を含む。この場合、端末デバイスは、複数のＤＭＲＳ内の第１のＤＭＲＳポート以外の第２のＤＭＲＳポートに対応するリソースが第１のデータ情報を搬送しないことを決定し得ることで、間接的に、第１のＤＭＲＳポートに対応するリソースを決定し、第１のデータ情報を搬送する第１のリソースを決定する。
【０１０９】
例において、複数のＤＭＲＳポート内の第１のＤＭＲＳポート以外の第２のＤＭＲＳポートに対応するリソースに関する情報は、第２のＤＭＲＳポートのポート番号を含む。この場合、端末デバイスは、間接的に、第２のＤＭＲＳポートのポート番号に基づいて第１のＤＭＲＳポートのポート番号を決定し、第１のＤＭＲＳポートに対応するリソースを決定し得ることで、第１のデータ情報を搬送する第１のリソースを決定する。
【０１１０】
例えば、第２のＤＭＲＳポートに対応するリソースのインジケーション情報が、代わりに、表１又は表２において示されてよい。表１が例として用いられる。状態０１は、ＤＭＲＳポート１を示す。この場合は、端末デバイスは、ＤＭＲＳポート１に対応するリソースが第１のデータ情報を搬送しないと決定し、ＤＭＲＳポート２に対応するリソースが第１のデータ情報を搬送すると決定してよい。状態１０は、ＤＭＲＳポート２を示す。この場合、端末デバイスは、ＤＭＲＳポート２に対応するリソースが第１のデータ情報を搬送しないと決定し、ＤＭＲＳポート１に対応するリソースが第１のデータ情報を搬送すると決定してよい。状態１１は、ＤＭＲＳポート１及びＤＭＲＳポート２を示す。この場合、端末デバイスは、ＤＭＲＳポート１及びＤＭＲＳポート２に対応するリソースが第１のデータ情報を搬送しないと決定してよい。フィールドは、予約状態インジケーション、例えば、表１における状態００をさらに含んでよい。当該状態は、いずれのＤＭＲＳポートも示していないものとして理解され得る。この場合、端末デバイスは、ＤＭＲＳポート１及びＤＭＲＳポート２を含むすべてのＤＭＲＳポートに対応するリソースが第１のデータ情報を搬送すると決定する。
【０１１１】
別の例において、複数のＤＭＲＳポート内の第１のＤＭＲＳポート以外の第２のＤＭＲＳポートに対応するリソースの情報は、第２のＤＭＲＳポートに対応するリソースのインデックスを含む。この場合、端末デバイスは、第２のＤＭＲＳポートに対応するリソースのインデックスに関する情報に基づいて、第１のデータ情報を搬送するリソースを決定し得ることで、間接的に、第１のデータ情報を搬送する第１のリソースを決定する。
【０１１２】
例えば、第２のＤＭＲＳポートに対応するリソースのインジケーション情報は、代わりに、表１、表２、表３又は表４に示され得る。第２のリソースのインジケーション情報の特定の意味を説明するための例として、表１、表２、表３又は表４の前述の説明を参照されたい。ここでは詳細は説明しない。
【０１１３】
任意選択的に、第１のリソースのインジケーション情報は、第１のリソース内の第１のＤＭＲＳポートに対応するリソース以外の第３のリソースのインジケーション情報を含む。
【０１１４】
本実施形態において、第１のリソースのインジケーション情報は、第１のＤＭＲＳポートに対応するリソースを示すために用いられる情報を含み、第３のリソースのインジケーション情報を含む。このように、端末デバイスが第１のリソースのインジケーション情報を受信した後に、端末デバイスは、第１のＤＭＲＳポートに対応するリソースを示すために用いられる情報に基づいて、第１のデータ情報を搬送するために用いられる第１のリソースのリソースを決定し、第３のリソースのインジケーション情報に基づいて、ＤＭＲＳを伝送するために用いられる第１のリソースのリソースを決定し得ることで、ネットワークデバイスが第１のリソースを搬送するために用いるＤＭＲＳ及び第１のデータ情報を受信する。
【０１１５】
例において、第３のリソースのインジケーション情報は、第３のリソースに含まれるシンボルのインデックスを示すために用いられる情報を含む。
【０１１６】
例えば、図３を参照すると、ネットワークデバイスが、２つの空間層のみをスケジューリングする場合、具体的には、ＤＭＲＳポート１及びＤＭＲＳポート２に対応するＲＥ上のみで情報を伝送する場合、ＤＭＲＳポート１及びＤＭＲＳポート２に対応するＲＥは、第３のリソースと称される。図３に示されるように、ネットワークデバイスに関して、第３のリソースは、スロット内に７つのシンボルを含み、第１及び第２シンボルは、制御情報を搬送するために用いられ、第３シンボルは、ＤＭＲＳを伝送するために用いられ、第４から第７シンボルは、データ情報を伝送するために用いられる。したがって、受信した第１のリソース内の第３のリソースのインジケーション情報を受信した後に、端末デバイスは、第３のリソースに含まれるシンボルの第３のリソースのインジケーション情報に示されるインデックスに関する情報に基づいて、データ情報を搬送するシンボルを決定し、さらに、ネットワークデバイスにより伝送されたデータ情報を、対応するシンボルから受信する。第３のリソースは、代わりに、７つのシンボル内の１又は複数のシンボルを含んでよく、複数のシンボルは、連続的なシンボルであってもよく、又は、完全には連続的でないシンボルであってよいことに留意されたい。
【０１１７】
任意選択的に、ネットワークデバイスが、複数のＤＭＲＳポート内の目標のＤＭＲＳポートに対応するリソースがＤＭＲＳを伝送するために用いられないことを決定した場合、第１のリソースのインジケーション情報は、ネットワークデバイスが目標のＤＭＲＳポートに対応するリソース上でデータ情報を送信することを示す。
【０１１８】
任意選択的に、本実施形態において、ネットワークデバイスは、以下の方式で端末デバイスに第１のリソースのインジケーション情報を送信してよい。
【０１１９】
実施例において、ネットワークデバイスは、ＵＥ固有（ＵＥ−ｓｐｅｃｉｆｉｃ）のシグナリング又はセル固有（ｃｅｌｌ−ｓｐｅｃｉｆｉｃ）／共通（ｃｏｍｍｏｎ）のシグナリングを用いることにより、第１のリソースのインジケーション情報を端末デバイスに送信する。
【０１２０】
ここでは、ＵＥ固有のシグナリングは、ネットワークデバイスにより、ある端末デバイスに送信されるシグナリングについて言及され得、セル固有／共通のシグナリングは、ネットワークデバイスによりセル内の複数の端末デバイスに送信されるあるシグナリングについて言及され得る。
【０１２１】
任意選択的に、ネットワークデバイスは、動的な通知方式で端末デバイスに第１のリソースのインジケーション情報を送信してよい。例えば、ネットワークデバイスは、第１のリソースのインジケーション情報を搬送する物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を用いることにより、第１のリソースのインジケーション情報を端末デバイスに送信する。
【０１２２】
Ｓ４０４．端末デバイスは、ネットワークデバイスから第１のリソースのインジケーション情報を受信する。
【０１２３】
任意選択的に、端末デバイスは、ネットワークデバイスにより第１のリソースのインジケーション情報を送信する方式に対応する受信方式で第１のリソースのインジケーション情報を受信する。例えば、ネットワークデバイスが、ＵＥ固有のシグナリング又はセル固有／共通のシグナリングを用いることにより、第１のリソースのインジケーション情報を端末デバイスに送信した場合、端末デバイスは、ＵＥ固有のシグナリング又はセル固有／共通のシグナリングを用いることにより、ネットワークデバイスにより送信された第１のリソースのインジケーション情報を受信する。代わりに、ネットワークデバイスが、第１のリソースのインジケーション情報を搬送するＰＤＣＣＨを用いることにより、第１のリソースのインジケーション情報を端末デバイスに送信した場合、端末デバイスは、ネットワークデバイスがＰＤＣＣＨを用いて搬送した第１のリソースのインジケーション情報を受信する。
【０１２４】
Ｓ４０５．端末デバイスは、第１のリソースのインジケーション情報に基づいて、第１の時間区分において第１のデータ情報を搬送するネットワークデバイスにより用いられる第１のリソースを決定する。
【０１２５】
対応して、第１のリソースは、第１のＤＭＲＳポートに対応するリソースを含み、第１のＤＭＲＳポートは、ネットワークデバイスの複数のＤＭＲＳポートのうちの少なくとも１つのＤＭＲＳポートのうちの１つであり、少なくとも１つのＤＭＲＳポートに対応するリソースは、ＤＭＲＳを伝送するのに用いられない。
【０１２６】
本実施形態において、第１のリソースのインジケーション情報が、第１のＤＭＲＳポートに対応するリソースに関する情報、又は、第１のリソース内の第１のＤＭＲＳポートに対応するリソースに関する情報以外の第３のリソースのインジケーション情報を示すために用いられることが前述の段階４０３から知られ得る。したがって、ネットワークデバイスにより送信された第１のリソースのインジケーション情報を端末デバイスが受信した後に、端末デバイスは、第１のリソースのインジケーション情報に基づいて、第１の時間区分において第１のデータ情報を搬送するネットワークデバイスにより用いられる第１のリソースを決定できる。
【０１２７】
Ｓ４０６．ネットワークデバイスは、第１のデータ情報を搬送する第１のリソースを用いることにより、端末デバイスに第１のデータ情報を送信する。
【０１２８】
本実施形態において、ネットワークデバイスは、第１の時間区分において第１のデータ情報を伝送するために用いられる第１のリソースを決定した後に、ネットワークデバイスは、第１のデータ情報を搬送する第１のリソースを用いることにより、第１のデータ情報を端末デバイスに送信してよい。この場合、ネットワークデバイスは、ネットワークデバイスのポートに対応しており、かつ、ＤＭＲＳを伝送するのに用いられていないリソースを用いることにより、第１のデータ情報を送信する。これは、通信リソースの無駄を回避し、システムの周波数効率を改善する。
【０１２９】
Ｓ４０７．端末デバイスは、第１のリソース上で搬送される第１のデータ情報をネットワークデバイスから受信する。
【０１３０】
第１のリソースの受信したインジケーション情報を解析することにより、第１の時間区分において第１のデータ情報を搬送するネットワークデバイスにより用いられる第１のリソースを決定した後に、端末デバイスは、ネットワークデバイスをリッスンし、第１のリソース上で搬送される第１のデータ情報をネットワークデバイスから受信する。このように、ネットワークデバイスと端末デバイスとの間のダウンリンク伝送が実施される。ネットワークデバイスと端末デバイスとの間のアップリンク伝送の解決手段は、ダウンリンク伝送の解決手段と同様であり、ここでは詳細に説明しない。
【０１３１】
本願の本実施形態において提供される通信方法によれば、ネットワークデバイスは、ネットワークデバイスの複数のＤＭＲＳポートのうちの少なくとも１つのＤＭＲＳポートに対応するリソースが、第１の時間区分にいてＤＭＲＳを伝送するのに用いられないことを決定し、端末デバイスに送信される第１のデータ情報を第１の時間区分において搬送するために用いられる第１のリソースを決定する。第１のリソースは、ネットワークデバイスの複数のＤＭＲＳポートのうちの少なくとも１つに対応しており、ＤＭＲＳを伝送するのに用いられないリソースを含む。ネットワークデバイスは、第１のリソースのインジケーション情報を端末デバイスに送信する。対応して、端末デバイスは、第１のリソースの受信したインジケーション情報に基づいて、第１の時間区分において第１のデータ情報を搬送するネットワークデバイスにより用いられる第１のリソースを決定する。最後に、ネットワークデバイスが、第１のデータ情報を搬送する第１のリソースを用いることにより、第１のデータ情報を端末デバイスに送信した後に、端末デバイスは、第１のリソース上で搬送される第１のデータ情報をネットワークデバイスから受信する。本実施形態の技術的解決手段では、ネットワークデバイスは、ＤＭＲＳポートに対応しており、かつ、ＤＭＲＳを伝送するのに用いられないリソースを決定し、アイドルリソースを用いることによりデータ情報を伝送する。これは、通信リソースの無駄を回避し、スペクトル効率を改善する。
【０１３２】
さらに、本願は、図４に示される実施形態に基づく通信方法を提供する。図５は、本願の実施形態に係る別の通信方法の概略相互作用図である。本願の本実施形態において提供される通信方法は、図４に示される実施形態において提供される通信方法に関する補足説明である。図５に示されるように、通信方法は、以下の段階を含んでよい。
【０１３３】
Ｓ５０１．ネットワークデバイスは、端末デバイスに送信される第２のデータ情報を第２の時間区分において搬送するために用いられる第２のリソースを決定し、第２のリソースは、ネットワークデバイスのすべてのＤＭＲＳポートに対応するリソースを含まない。
【０１３４】
例において、ネットワークデバイスのＤＭＲＳポートに対応するすべてのリソースは、ＤＭＲＳ伝送のために用いられてよく、又は、ネットワークデバイスの複数のＤＭＲＳポート内のアイドルＤＭＲＳポートは、別の目的（例えば、電力迂回）のために用いられるが、データ情報を伝送するのに用いられない。この場合、ネットワークデバイスのすべてのＤＭＲＳポートに対応するリソースは、データ情報を搬送するために用いられることができない。したがって、本実施形態において、ネットワークデバイスは、まず、端末デバイスに送信される第２のデータ情報を第２の時間区分において搬送するために用いられる第２のリソースを決定する。この場合、第２のリソースは、ネットワークデバイスのすべてのＤＭＲＳポートに対応するリソースを含まない。
【０１３５】
本実施形態における第２の時間区分の定義は、第１の時間区分のものと同様であることに留意されたい。第２の時間区分は、情報を送信するためにネットワークデバイスにより占有される持続時間（ｄｕｒａｔｉｏｎ）であってもよい。例えば、第２の時間区分は、１又は複数のサブフレーム（ｓｕｂｆｒａｍｅ）であってよく、１又は複数のスロット（ｓｌｏｔ）であってもよく、１又は複数のミニスロット（ｍｉｎｉ−ｓｌｏｔ）であってもよく、又は、１又は複数のシンボルであってもよい。これは本明細書において限定されるものではない。持続時間が複数のサブフレーム／スロット／ミニスロット／シンボルである場合、複数のサブフレーム／スロット／ミニスロット／シンボルは、連続的なサブフレーム／スロット／ミニスロット／シンボルであってよく、又は、完全に連続的ではないサブフレーム／スロット／ミニスロット／シンボルであってもよい。これは本明細書において限定されるものではない。本実施形態における第２のデータ情報は、第２の時間区分において伝送されるデータ情報である。
【０１３６】
Ｓ５０２．ネットワークデバイスは、第２のリソースのインジケーション情報を端末デバイスに送信する。
【０１３７】
Ｓ５０２は、前述の段階Ｓ４０３と同様である。ネットワークデバイスが、第２の時間区分において第２のデータ情報を搬送するために用いられる第２のリソースを決定した後に、ネットワークデバイスは、端末デバイスに第２のリソースのインジケーション情報を送信し、その結果、端末デバイスは、ネットワークデバイスが第２のデータ情報を送信した場合に、第２のリソースのインジケーション情報に基づいて、第２のデータ情報を搬送するために用いられる第２のリソースを決定してよい。
【０１３８】
任意選択的に、実装では、第２のリソースのインジケーション情報は、第２のリソースがネットワークデバイスのすべてのＤＭＲＳポートに対応するリソースを含まないことを示すために用いられる情報を含む。
【０１３９】
第２のリソースがネットワークデバイスのすべてのＤＭＲＳポートに対応するリソースを含まないので、第２のリソースのインジケーション情報は、第２のリソースがネットワークデバイスのすべてのＤＭＲＳポートに対応するリソースを含まないことを示すために用いられる。したがって、ネットワークデバイスは、ネットワークデバイスのすべてのＤＭＲＳポートに対応するリソースがない場合に第２のデータ情報を送信してよい。
【０１４０】
別の実施例において、第２のリソースのインジケーション情報は、第２のリソースに含まれるシンボルのインデックスを示すために用いられる情報を含む。
【０１４１】
本実施形態において、第２のデータ情報を搬送するために用いられる第２のリソースをネットワークデバイスが決定した場合、ネットワークデバイスは、さらに、第２のリソースの特定の情報、例えば、第２のリソースに含まれるシンボルの数、及び、第２のデータ情報を搬送するために用いられるシンボルのインデックスなどの情報を決定する必要がある。
【０１４２】
任意選択的に、ネットワークデバイスが、ネットワークデバイスの目標のＤＭＲＳポートに対応するリソースがＤＭＲＳを伝送するために用いられないことを決定した場合、第２のリソースのインジケーション情報は、ネットワークデバイスが目標のＤＭＲＳポートに対応するリソース上でデータ情報を送信しないことを示す。
【０１４３】
例えば、第２のリソースのインジケーション情報は、２ビットのフィールドであってよい。この場合、複数のＤＭＲＳポートが２つのＤＭＲＳポートを含む場合が例として用いられ、２ビットのフィールドインジケーション情報の意味は、表１に示され得る。本実施形態において、２ビットのフィールドの値は００であり、この状態は、いずれのＤＭＲＳポートも示していないものとして理解され得る。この場合、端末デバイスは、ＤＭＲＳポート１及びＤＭＲＳポート２を含むすべてのＤＭＲＳポートに対応するリソースが第２のデータ情報を搬送しないと決定することで、第２のリソースを決定する。
【０１４４】
任意選択的に、Ｓ５０２は、図４に示される実施形態における段階Ｓ４０４と同様である。本実施形態において、ネットワークデバイスは、以下の方式で第２のリソースのインジケーション情報を端末デバイスに送信してよい。
【０１４５】
実施例において、ネットワークデバイスは、ＵＥ固有のシグナリング又はセル固有／共通のシグナリングを用いることにより、第２のリソースのインジケーション情報を端末デバイスに送信する。別の実施例において、ネットワークデバイスは、第２のリソースのインジケーション情報を搬送するＰＤＣＣＨを用いることにより、第２のリソースのインジケーション情報を端末デバイスに送信する。
【０１４６】
Ｓ５０３．端末デバイスは、ネットワークデバイスから第２のリソースのインジケーション情報を受信する。
【０１４７】
ネットワークデバイスが、ＵＥ固有のシグナリング又はセル固有／共通のシグナリングを用いることにより、第２のリソースのインジケーション情報を端末デバイスに送信した場合、端末デバイスは、ＵＥ固有のシグナリング又はセル固有／共通のシグナリングを用いることにより、ネットワークデバイスから第２のリソースのインジケーション情報を受信する。ネットワークデバイスが、第２のリソースのインジケーション情報を搬送するＰＤＣＣＨを用いることにより、第２のリソースのインジケーション情報を端末デバイスに送信した場合、端末デバイスは、ＰＤＣＣＨ上で搬送される第２のリソースのインジケーション情報をネットワークデバイスから受信する。
【０１４８】
Ｓ５０４．端末デバイスは、第２のリソースのインジケーション情報に基づいて、第２の時間区分において第２のデータ情報を搬送するネットワークデバイスにより用いられる第２のリソースを決定する。
【０１４９】
第２のリソースは、ネットワークデバイスのすべてのＤＭＲＳポートに対応するリソースを含まない。
【０１５０】
段階Ｓ５０１において、ネットワークデバイスは、第２のデータ情報を搬送するために用いられる第２のリソースが、ネットワークデバイスのすべてのＤＭＲＳポートに対応するリソースを含まないことを決定し、したがって、端末デバイスにより決定される第２のリソースは、対応して、ネットワークデバイスのすべてのＤＭＲＳポートに対応するリソースを含まない。
【０１５１】
Ｓ５０５．ネットワークデバイスは、第２のデータ情報を搬送するために第２のリソースを用いることにより、端末デバイスに第２のデータ情報を送信する。
【０１５２】
本実施形態において、ネットワークデバイスは、第２のリソースが第２の時間区分において第２のデータ情報を搬送するために用いられることを決定する。したがって、ネットワークデバイスが第２のリソースのインジケーション情報を端末デバイスに送信した後に、対応して、ネットワークデバイスは、第２のデータ情報を搬送する第２のリソースを用いることにより、対応する端末デバイスに第２のデータ情報を送信する。
【０１５３】
Ｓ５０６．端末デバイスは、第２のリソース上で搬送される第２のデータ情報をネットワークデバイスから受信する。
【０１５４】
端末デバイスは、第２のリソースの受信したインジケーション情報を解析することにより、第２の時間区分において第２のデータ情報を搬送するネットワークデバイスにより用いられる第２のリソースを決定し得ることで、ネットワークデバイスが第２のリソースを用いて第２のデータ情報を搬送する第２のリソースにおいて受信する。
【０１５５】
本願の本実施形態において提供される通信方法によれば、ネットワークデバイスは、端末デバイスに送信される第２のデータ情報を第２の時間区分において搬送するために用いられる第２のリソースを決定する。第２のリソースは、ネットワークデバイスのすべてのＤＭＲＳポートに対応するリソースを含まない。ネットワークデバイスは、第２のリソースのインジケーション情報を端末デバイスに送信する。対応して、端末デバイスは、第２のリソースの受信したインジケーション情報に基づいて、第２の時間区分において第２のデータ情報を搬送するネットワークデバイスにより用いられる第２のリソースを決定する。最後に、端末デバイスは、第２のリソース上で搬送される第２のデータ情報をネットワークデバイスから受信する。本技術的解決手段において、ネットワークデバイスのすべてのＤＭＲＳポートに対応するリソースが、第２のデータ情報を搬送するために用いられ得ることがない場合、ネットワークデバイスは、第２のデータ情報を搬送するために用いられる第２のリソースを決定し、インジケーション情報を端末デバイスに通知する。このように、ネットワークデバイスと端末デバイスとの間で情報伝送が実施され得る。
【０１５６】
前述の実施形態では、ネットワークデバイスと端末デバイスとの間のダウンリンク伝送（ネットワークデバイスが端末デバイスに情報を送信する）を説明している。以下では、特定の実施形態を参照して、ネットワークデバイスと端末デバイスとの間のアップリンク伝送（ネットワークデバイスが、端末デバイスにより送信された情報を受信する）を説明する。
【０１５７】
図６は、本願の実施形態に係るさらに別の通信方法の概略相互作用図である。図６に示されるように、方法は、以下の段階を含んでよい。
【０１５８】
Ｓ６０１．ネットワークデバイスは、ネットワークデバイスの複数のＤＭＲＳポートのうちの少なくとも１つのＤＭＲＳポートに対応するリソースが、第１の時間区分においてＤＭＲＳを伝送するのに用いられないことを決定する。
【０１５９】
少なくとも１つのＤＭＲＳポートは、第１のＤＭＲＳポートを含む。
【０１６０】
本実施形態において、ネットワークデバイスにより端末デバイスに送信される情報のダウンリンク伝送と同様に、端末デバイスにより送信された情報をネットワークデバイスが受信した場合、ネットワークデバイスは、まず、情報を受信するための第１の時間区分を決定し、そして、ネットワークデバイスの複数のＤＭＲＳポートに対応するリソースの使用状況を決定する。例において、ネットワークデバイスは、ネットワークデバイスの複数のＤＭＲＳポートのうちの少なくとも１つのＤＭＲＳポートに対応するリソースは、第１の時間区分においてＤＭＲＳを伝送するのに用いられないことを決定し、少なくとも１つのＤＭＲＳポートは、第１のＤＭＲＳポートを含む。この場合、ネットワークデバイスは、第１のリソースを用いることにより、端末デバイスにより送信されたデータ情報を受信してよい。
【０１６１】
図４に示される実施形態と同様に、本実施形態における第１の時間区分は、情報を受信するためにネットワークデバイスにより占有される持続時間（ｄｕｒａｔｉｏｎ）であってもよい。第１の時間区分の特定の表現については、図４に示される実施形態における段階Ｓ４０１の説明を参照されたい。ここでは詳細は説明しない。
【０１６２】
同様に、この段階における第１のＤＭＲＳポートは、ネットワークデバイスの複数のＤＭＲＳポートのうちの１又は複数であってもよく、本明細書において、第１のＤＭＲＳポートの数が限定されることはない。
【０１６３】
Ｓ６０２．ネットワークデバイスは、第１の時間区分において第１のデータ情報を搬送するために用いられる第１のリソースを決定する。
【０１６４】
任意選択的に、第１のリソースは、第１のＤＭＲＳポートに対応するリソースを含む。
【０１６５】
本実施形態において、ネットワークデバイスが端末デバイスにより送信される第１のデータ情報を受信する必要がある場合、ネットワークデバイスは、まず、第１の時間区分における受信対象の第１のデータ情報のベアラ、すなわち、第１のデータ情報を搬送するために用いられる第１のリソースを決定する。本実施形態における第１のデータ情報は、第１の時間区分において端末デバイスによりネットワークデバイスに送信されるデータ情報である。
【０１６６】
任意選択的に、ネットワークデバイスにより決定され、かつ、第１のデータ情報を搬送するために用いられる第１のリソースは、第１のＤＭＲＳポートに対応するリソース、及び、第１のＤＭＲＳポートに対応するリソース以外の第３のリソースを含む。第３のリソースの特定の意味、及び、第１のＤＭＲＳポートに対応するリソースの表現については、図４に示される実施形態の段階Ｓ４０２の説明を参照されたい。ここでは詳細は説明しない。
【０１６７】
任意選択的に、第１のＤＭＲＳポートに対応するリソースは、第１の時間区分においてＤＭＲＳを伝送するのに用いられない。
【０１６８】
Ｓ６０３．ネットワークデバイスは、第１のリソースのインジケーション情報を端末デバイスに送信する。
【０１６９】
本実施形態において、ネットワークデバイスが、第１のデータ情報を搬送するために用いられる第１のリソースを決定した後に、ネットワークデバイスは、第１のリソースのインジケーション情報を端末デバイスに送信する必要がある。このように、端末デバイスは、第１のリソースのインジケーション情報に基づいて、ネットワークデバイスのＤＭＲＳポートに対応しており、かつ、第１のデータ情報を搬送するリソースを決定し得る。
【０１７０】
任意選択的に、第１のリソースのインジケーション情報は、第１のＤＭＲＳポートに対応するリソースを示すために用いられる情報を含む。例において、第１のＤＭＲＳポートに対応するリソースに関する情報は、第１のＤＭＲＳポートのポート番号を含む。別の例において、第１のＤＭＲＳポートに対応するリソースに関する情報は、第１のＤＭＲＳポートに対応するリソースのインデックスを含む。第１のＤＭＲＳポートに対応するリソースに関する情報の特定の例については、図４に示される実施形態の段階Ｓ４０３における説明を参照されたい。ここでは詳細は説明しない。
【０１７１】
任意選択的に、第１のリソースのインジケーション情報は、第１のリソース内の第１のＤＭＲＳポートに対応するリソース以外の第３のリソースのインジケーション情報を含む。具体的には、第１のリソースのインジケーション情報は、第１のＤＭＲＳポートに対応するリソースを示すために用いられる情報を含み、第３のリソースのインジケーション情報を含む。例において、第３のリソースのインジケーション情報は、第３のリソースに含まれるシンボルのインデックスを示すために用いられる情報を含む。
【０１７２】
任意選択的に、ネットワークデバイスは、ＵＥ固有のシグナリング又はセル固有／共通のシグナリングを用いることにより、端末デバイスに第１のリソースのインジケーション情報を送信してよく、又は、ネットワークデバイスは、第１のリソースのインジケーション情報を搬送するＰＤＣＣＨを用いることにより、端末デバイスに第１のリソースのインジケーション情報を送信する。
【０１７３】
Ｓ６０４．端末デバイスは、ネットワークデバイスから第１のリソースのインジケーション情報を受信する。
【０１７４】
端末デバイス及びネットワークデバイスが情報送信方式に合意した後、端末デバイスは、ネットワークデバイスにより第１のリソースのインジケーション情報を送信する対応する方式で第１のリソースのインジケーション情報を受信する。特定の受信方式については、段階Ｓ４０４の説明を参照されたい。ここでは詳細は説明しない。
【０１７５】
Ｓ６０５．端末デバイスは、第１のリソースのインジケーション情報に基づいて、第１の時間区分において第１のデータ情報を搬送するために用いられる第１のリソースを決定する。
【０１７６】
本実施形態において、第１のリソースが、第１のＤＭＲＳポートに対応するリソースを含み、第１のＤＭＲＳポートが、ネットワークデバイスの複数のＤＭＲＳポートのうちの少なくとも１つのＤＭＲＳポートのうちの１つであり、少なくとも１つのＤＭＲＳポートに対応するリソースが、ＤＭＲＳを伝送するのに用いられないことが、前述の段階Ｓ６０１から知ることができる。
【０１７７】
端末デバイスは、ネットワークデバイスにより送信された第１のリソースのインジケーション情報に基づいて、端末デバイスによりネットワークデバイスに送信される第１のデータ情報のベアラを知る、すなわち、端末デバイスは、第１の時間区分において第１のデータ情報を搬送するために用いられる第１のリソースを知る。
【０１７８】
Ｓ６０６．端末デバイスは、第１のデータ情報を搬送する第１のリソースを用いることにより、ネットワークデバイスに第１のデータ情報を送信する。
【０１７９】
本実施形態において、端末デバイスは、第１の時間区分において第１のデータ情報を伝送するために用いられる第１のリソースを決定した後に、端末デバイスは、第１のデータ情報を搬送する第１のリソースを用いることにより、第１のデータ情報をネットワークデバイスに送信してよい。この場合、端末デバイスは、ネットワークデバイスのＤＭＲＳポートに対応する未使用のリソースを用いることにより、第１のデータ情報を送信する。これは、通信リソースの無駄を回避し、システムの周波数効率を改善する。
【０１８０】
Ｓ６０７．端末デバイスは、第１のリソース上で搬送される第１のデータ情報をネットワークデバイスから受信する。
【０１８１】
段階Ｓ６０１において、ネットワークデバイスが第１の時間区分において第１のデータ情報を搬送するために用いられる第１のリソースを決定すると、ネットワークデバイスは、第１のリソースのインジケーション情報を端末デバイスに送信する。したがって、端末デバイスが、第１のリソースを用いることによりネットワークデバイスに第１のデータ情報を送信する場合、ネットワークデバイスは、第１のリソース上で搬送される第１のデータ情報を端末デバイスから受信し得る。このように、ネットワークデバイスと端末デバイスとの間のアップリンク伝送が実施される。
【０１８２】
本願の本実施形態において提供される通信方法によれば、ネットワークデバイスは、ネットワークデバイスの複数のＤＭＲＳポートのうちの少なくとも１つのＤＭＲＳポートに対応するリソースが、第１の時間区分においてＤＭＲＳを伝送するのに用いられないことを決定し、第１の時間区分において第１のデータ情報を搬送するために用いられる第１のリソースを決定する。第１のリソースは、ネットワークデバイスの複数のＤＭＲＳポートのうちの少なくとも１つに対応しており、かつ、ＤＭＲＳを伝送するのに用いられないリソースを含む。ネットワークデバイスは、第１のリソースのインジケーション情報を端末デバイスに送信する。端末デバイスは、第１のリソースの受信したインジケーション情報に基づいて、第１の時間区分において第１のデータ情報を搬送するために用いられる第１のリソースを決定し、最後に、第１のデータ情報を搬送する第１のリソースを用いることにより、ネットワークデバイスに第１のデータ情報を送信し、その結果、ネットワークデバイスは、第１のリソース上で搬送される第１のデータ情報を端末デバイスから受信し得る。本実施形態の技術的解決手段において、ネットワークデバイスは、ＤＭＲＳポートに対応しており、かつ、ＤＭＲＳを伝送するのに用いられないリソースを決定し、端末デバイスは、ネットワークデバイスのアイドルＤＭＲＳポートに対応するリソースを用いることによりデータ情報を伝送する。これは、通信リソースの無駄を回避し、スペクトル効率を改善する。
【０１８３】
さらに、本願は、図６に示される実施形態に基づく通信方法を提供する。図７は、本願の実施形態に係るさらに別の通信方法の概略相互作用図である。本願の本実施形態において提供される通信方法は、図６に示される実施形態において提供される通信方法に関する補足説明である。図７に示されるように、通信方法は、以下の段階を含んでよい。
【０１８４】
Ｓ７０１．ネットワークデバイスは、第２の時間区分において第２のデータ情報を搬送するために用いられる第２のリソースを決定し、第２のリソースは、ネットワークデバイスのすべてのＤＭＲＳポートに対応するリソースを含まない。
【０１８５】
本実施形態では、第２の時間区分において、ネットワークデバイスのＤＭＲＳポートに対応するリソースがビジー状態であり得（例えば、すべてのＤＭＲＳポートがＤＭＲＳ伝送用に用いられている、又は、アイドルＤＭＲＳポートが、別の目的で用いられている）、データ情報伝送のために用いられることができない場合、ネットワークデバイスは、ネットワークデバイスのすべてのＤＭＲＳポートに対応するリソースがデータ情報を搬送するのに用いられないものはない、すなわち、第２の時間区分において第２のデータ情報を搬送するために用いられ、かつ、ネットワークデバイスにより決定された第２のリソースが、ネットワークデバイスのすべてのＤＭＲＳポートに対応するリソースを含まないことを決定する。
【０１８６】
本実施形態における第２のデータ情報が端末デバイスとネットワークデバイスとの間のアップリンク伝送通信に関する情報であることに留意されたい。さらに、本実施形態における第２の時間区分の特定の定義については、図５に示される実施形態における段階Ｓ５０１の説明を参照されたい。ここでは詳細は説明しない。
【０１８７】
Ｓ７０２．ネットワークデバイスは、第２のリソースのインジケーション情報を端末デバイスに送信する。
【０１８８】
ネットワークデバイスが、第２の時間区分において端末デバイスにより送信される第２のデータ情報を受信するために用いられ得るベアラ、すなわち、第２のデータ情報を搬送するために用いられる第２のリソースを決定した場合、ネットワークデバイスは、第２のリソースのインジケーション情報を端末デバイスに送信する。このように、端末デバイスは、したがって、送信対象の第２のデータ情報を搬送するために用いられる第２のリソースを決定できることで、対応するリソース上で第２のデータ情報を送信する。
【０１８９】
例において、第２のリソースのインジケーション情報は、第２のリソースがネットワークデバイスのすべてのＤＭＲＳポートに対応するリソースを含まないことを示すために用いられる情報を含む。別の例において、第２のリソースのインジケーション情報は、第２のリソースに含まれるシンボルのインデックスを示すために用いられる情報を含む。第２のリソースのインジケーション情報の特定の意味については、図５に示される実施形態における段階Ｓ５０２の説明を参照されたい。ここでは詳細は説明しない。
【０１９０】
さらに、実施例では、ネットワークデバイスは、ＵＥ固有のシグナリング又はセル固有／共通のシグナリングを用いることにより、第２のリソースのインジケーション情報を端末デバイスに送信してよい。別の実施例において、ネットワークデバイスは、第２のリソースのインジケーション情報を搬送するＰＤＣＣＨを用いる動的な通知方式で、第２のリソースのインジケーション情報を端末デバイスに送信する。
【０１９１】
Ｓ７０３．端末デバイスは、ネットワークデバイスから第２のリソースのインジケーション情報を受信する。
【０１９２】
任意選択的に、ネットワークデバイスが、第２のリソースのインジケーション情報を端末デバイスに送信した後に、端末デバイスは、ネットワークデバイスと合意した受信方式で第２のリソースのインジケーション情報を受信する。端末デバイスの特定の受信方式については、段階Ｓ５０３の説明を参照されたい。ここでは詳細は説明しない。
【０１９３】
Ｓ７０４．端末デバイスは、第２のリソースのインジケーション情報に基づいて、第２の時間区分において第２のデータ情報を搬送するために用いられる第２のリソースを決定する。
【０１９４】
第２のリソースは、ネットワークデバイスのすべてのＤＭＲＳポートに対応するリソースを含まない。
【０１９５】
本実施形態において、第２の時間区分において第２のデータ情報を搬送するために用いられ、かつ、段階Ｓ７０１においてネットワークデバイスにより決定された第２のリソースは、ネットワークデバイスのすべてのＤＭＲＳポートに対応するリソースを含まないので、端末デバイスは、第２のリソースの受信したインジケーション情報を解析することにより、第２の時間区分において第２のデータ情報を搬送するために用いられる第２のリソースを決定し、第２のリソースがネットワークデバイスのすべてのＤＭＲＳポートに対応するリソースを含まないことを決定できる。
【０１９６】
Ｓ７０５．端末デバイスは、第２のデータ情報を搬送する第２のリソースを用いることにより、ネットワークデバイスに第２のデータ情報を送信する。
【０１９７】
端末デバイスとネットワークデバイスとの間のアップリンク伝送では、端末デバイス及びネットワークデバイスが、第２のリソースのインジケーション情報を用いることにより、第２のデータ情報を搬送するために用いられる第２のリソースを決定した後に、端末デバイスは、第２のデータ情報を搬送する第２のリソースを用い得ることで、ピアネットワークデバイスに第２のデータ情報を送信する。
【０１９８】
Ｓ７０６．ネットワークデバイスは、第２のリソース上で搬送される第２のデータ情報を端末デバイスから受信する。
【０１９９】
ネットワークデバイスは、段階Ｓ７０１で決定され、かつ、第２のデータ情報を搬送するために用いられる第２のリソースに基づいて、第２のリソース上のデータ伝送をリッスンし、第２のリソースの対応する位置で第２のデータ情報を受信する。このように、ネットワークデバイスと端末デバイスとの間のアップリンク伝送が実施される。
【０２００】
本願の本実施形態において提供される通信方法によれば、ネットワークデバイスは、まず、第２の時間区分において第２のデータ情報を搬送するために用いられる第２のリソースを決定する。第２のリソースは、ネットワークデバイスのすべてのＤＭＲＳポートに対応するリソースを含まない。そして、ネットワークデバイスは、第２のリソースのインジケーション情報を端末デバイスに送信する。対応して、端末デバイスは、第２のリソースの受信したインジケーション情報に基づいて、第２の時間区分において第２のデータ情報を搬送するために用いられる第２のリソースを決定し、そして、端末デバイスは、第２のデータ情報を搬送する第２のリソースを用いることにより、ネットワークデバイスに第２のデータ情報を送信する。そして、ネットワークデバイスは、第２のリソース上で搬送される第２のデータ情報を端末デバイスから受信し得る。このように、ネットワークデバイスのすべてのＤＭＲＳポートに対応するリソースが、端末デバイスによりネットワークデバイスに送信される第２のデータ情報を搬送するために用いられ得ることがない場合、ネットワークデバイスは、第２のデータ情報を搬送するために用いられる第２のリソースを決定し、インジケーション情報を端末デバイスに通知し、その結果、端末デバイスは、対応する第２のリソース上で第２のデータ情報を伝送してよい。ネットワークデバイスと端末デバイスとの間のアップリンク情報伝送も実施される。
【０２０１】
図８は、本願の実施形態に係るネットワークデバイスの概略構造図である。図８に示されるように、本実施形態におけるネットワークデバイスは、処理ユニット８０１及び送信ユニット８０２を含んでよい。
【０２０２】
処理ユニット８０１は、ネットワークデバイスの複数のＤＭＲＳポートのうちの少なくとも１つのＤＭＲＳポートに対応するリソースが、第１の時間区分においてＤＭＲＳを伝送するのに用いられないことを決定し、端末デバイスに送信される第１のデータ情報を第１の時間区分において搬送するために用いられる第１のリソースを決定するように構成される。
【０２０３】
本実施形態において、少なくとも１つのＤＭＲＳポートは、第１のＤＭＲＳポートを含み、対応して、第１のリソースは、第１のＤＭＲＳポートに対応するリソースを含む。
【０２０４】
送信ユニット８０２は、第１のリソースのインジケーション情報を端末デバイスに送信し、第１のデータ情報を搬送する第１のリソースを用いることにより、第１のデータ情報を端末デバイスに送信するように構成される。
【０２０５】
さらに、本実施形態において、処理ユニット８０１は、端末デバイスに送信される第２のデータ情報を第２の時間区分において搬送するために用いられる第２のリソースを決定するように構成され、第２のリソースは、ネットワークデバイスのすべてのＤＭＲＳポートに対応するリソースを含まない。
【０２０６】
送信ユニット８０２は、第２のリソースのインジケーション情報を端末デバイスに送信し、第２のデータ情報を搬送する第２のリソースを用いることにより、第２のデータ情報を端末デバイスに送信するようにさらに構成される。
【０２０７】
例において、第２のリソースのインジケーション情報は、第２のリソースがネットワークデバイスのすべてのＤＭＲＳポートに対応するリソースを含まないことを示すために用いられる情報を含む。
【０２０８】
別の例において、第２のリソースのインジケーション情報は、第２のリソースに含まれるシンボルのインデックスを示すために用いられる情報を含む。
【０２０９】
実施形態において、送信ユニット８０２は、ＵＥ固有のシグナリング又はセル固有／共通のシグナリングを用いることにより、第２のリソースのインジケーション情報を端末デバイスに送信するようにさらに構成される。代わりに、送信ユニット８０２は、第２のリソースのインジケーション情報を搬送するＰＤＣＣＨを用いることにより、第２のリソースのインジケーション情報を端末デバイスに送信するようにさらに構成される。
【０２１０】
任意選択的に、第１のリソースのインジケーション情報は、第１のＤＭＲＳポートに対応するリソースを示すために用いられる情報を含む。
【０２１１】
任意選択的に、第１のＤＭＲＳポートに対応するリソースに関する情報は、第１のＤＭＲＳポートのポート番号、又は、第１のＤＭＲＳポートに対応するリソースのインデックスを含む。
【０２１２】
さらに、第１のリソースのインジケーション情報は、第１のリソース内の第１のＤＭＲＳポートに対応するリソース以外の第３のリソースのインジケーション情報を含む。
【０２１３】
任意選択的に、第３のリソースのインジケーション情報は、第３のリソースに含まれるシンボルのインデックスを示すために用いられる情報を含む。
【０２１４】
本実施形態において、送信ユニット８０２は、ＵＥ固有のシグナリング又はセル固有／共通のシグナリングを用いることにより、第１のリソースのインジケーション情報を端末デバイスに送信するようにさらに構成される。代わりに、送信ユニット８０２は、第１のリソースのインジケーション情報を搬送するＰＤＣＣＨを用いることにより、第１のリソースのインジケーション情報を端末デバイスに送信するようにさらに構成される。
【０２１５】
本実施形態におけるネットワークデバイスは、図４及び図５に示される方法の実施形態におけるネットワークデバイスの実装上の解決手段を実行するように構成されてよい。特定の実装方式及び技術的な効果は同様であり、ここでは詳細は説明しない。
【０２１６】
図９は、本願の実施形態に係る端末デバイスの概略構造図である。図９に示されるように、本実施形態における端末デバイスは、受信ユニット９０１及び処理ユニット９０２を含んでよい。
【０２１７】
受信ユニット９０１は、ネットワークデバイスから第１のリソースのインジケーション情報を受信するように構成される。
【０２１８】
処理ユニット９０２は、第１のリソースのインジケーション情報に基づいて、第１の時間区分において第１のデータ情報を搬送するネットワークデバイスにより用いられる第１のリソースを決定するように構成される。
【０２１９】
第１のリソースは、第１のＤＭＲＳポートに対応するリソースを含み、第１のＤＭＲＳポートは、ネットワークデバイスの複数のＤＭＲＳポートのうちの少なくとも１つのＤＭＲＳポートのうちの１つであり、少なくとも１つのＤＭＲＳポートに対応するリソースは、ＤＭＲＳを伝送するのに用いられない。
【０２２０】
受信ユニット９０１は、第１のリソース上で搬送される第１のデータ情報をネットワークデバイスから受信するようにさらに構成される。
【０２２１】
さらに、本実施形態において、受信ユニット９０１は、ネットワークデバイスから第２のリソースのインジケーション情報を受信するように構成される。
【０２２２】
処理ユニット９０２は、第２のリソースのインジケーション情報に基づいて、第２の時間区分において第２のデータ情報を搬送するネットワークデバイスにより用いられる第２のリソースを決定するようにさらに構成され、第２のリソースは、ネットワークデバイスのすべてのＤＭＲＳポートに対応するリソースを含まない。
【０２２３】
対応して、受信ユニット９０１は、第２のリソース上で搬送される第２のデータ情報をネットワークデバイスから受信するようにさらに構成される。
【０２２４】
任意選択的に、第２のリソースのインジケーション情報は、第２のリソースがＤＭＲＳポートに対応するリソースを含まないことを示す情報を含む。
【０２２５】
任意選択的に、第２のリソースのインジケーション情報は、第２のリソースに含まれるシンボルのインデックスを示すために用いられる情報を含む。
【０２２６】
本実施形態において、受信ユニット９０１は、ＵＥ固有のシグナリング又はセル固有／共通のシグナリングを用いることにより、ネットワークデバイスから第２のリソースのインジケーション情報を受信するようにさらに構成される。代わりに、受信ユニット９０１は、ＰＤＣＣＨ上で搬送される第２のリソースのインジケーション情報をネットワークデバイスから受信するようにさらに構成される。
【０２２７】
任意選択的に、第１のリソースのインジケーション情報は、第１のＤＭＲＳポートに対応するリソースを示すために用いられる情報を含む。
【０２２８】
任意選択的に、第１のＤＭＲＳポートに対応するリソースに関する情報は、第１のＤＭＲＳポートのポート番号、又は、第１のＤＭＲＳポートに対応するリソースのインデックスを含む。
【０２２９】
任意選択的に、第１のリソースのインジケーション情報は、第１のリソース内の第１のＤＭＲＳポートに対応するリソース以外の第３のリソースのインジケーション情報を含む。
【０２３０】
任意選択的に、第３のリソースのインジケーション情報は、第３のリソースに含まれるシンボルのインデックスを示すために用いられる情報を含む。
【０２３１】
本実施形態において、受信ユニット９０１は、ＵＥ固有のシグナリング又はセル固有／共通のシグナリングを用いることにより、ネットワークデバイスから第１のリソースのインジケーション情報を受信するようにさらに構成される。代わりに、受信ユニット９０１は、ＰＤＣＣＨ上で搬送される第１のリソースのインジケーション情報をネットワークデバイスから受信するようにさらに構成される。
【０２３２】
本実施形態における端末デバイスは、図４及び図５に示される方法の実施形態における端末デバイスの実装上の解決手段を実行するように構成されてよい。特定の実装方式及び技術的な効果は同様であり、ここでは詳細は説明しない。
【０２３３】
図１０は、本願の実施形態に係る別のネットワークデバイスの概略構造図である。図１０に示されるように、本実施形態におけるネットワークデバイスは、処理ユニット１００１、送信ユニット１００２及び受信ユニット１００３を含んでよい。
【０２３４】
処理ユニット１００１は、ネットワークデバイスの複数のＤＭＲＳポートのうちの少なくとも１つのＤＭＲＳポートに対応するリソースが、第１の時間区分においてＤＭＲＳを伝送するのに用いられないことを決定し、第１の時間区分において第１のデータ情報を搬送するために用いられる第１のリソースを決定するように構成される。
【０２３５】
少なくとも１つのＤＭＲＳポートは、第１のＤＭＲＳポートを含み、対応して、第１のリソースは、第１のＤＭＲＳポートに対応するリソースを含む。
【０２３６】
送信ユニット１００２は、第１のリソースのインジケーション情報を端末デバイスに送信するように構成される。
【０２３７】
受信ユニット１００３は、第１のリソース上で搬送される第１のデータ情報をネットワークデバイスから受信するように構成される。
【０２３８】
さらに、本実施形態において、処理ユニット１００１は、第２の時間区分において第２のデータ情報を搬送するために用いられる第２のリソースを決定するように構成される。第２のリソースは、ネットワークデバイスのすべてのＤＭＲＳポートに対応するリソースを含まない。
【０２３９】
送信ユニット１００２は、第２のリソースのインジケーション情報を端末デバイスに送信するようにさらに構成される。
【０２４０】
受信ユニット１００３は、第２のリソース上で搬送される第２のデータ情報を端末デバイスから受信するようにさらに構成される。
【０２４１】
例において第２のリソースのインジケーション情報は、第２のリソースがネットワークデバイスのすべてのＤＭＲＳポートに対応するリソースを含まないことを示すために用いられる情報を含む。
【０２４２】
別の例において、第２のリソースのインジケーション情報は、第２のリソースに含まれるシンボルのインデックスを示すために用いられる情報を含む。
【０２４３】
実施形態において、送信ユニット１００２は、ＵＥ固有のシグナリング又はセル固有／共通のシグナリングを用いることにより、第２のリソースのインジケーション情報を端末デバイスに送信するようにさらに構成される。代わりに、送信ユニット１００２は、第２のリソースのインジケーション情報を搬送するＰＤＣＣＨを用いることにより、第２のリソースのインジケーション情報を端末デバイスに送信するようにさらに構成される。
【０２４４】
任意選択的に、第１のリソースのインジケーション情報は、第１のＤＭＲＳポートに対応するリソースを示すために用いられる情報を含む。
【０２４５】
任意選択的に、第１のＤＭＲＳポートに対応するリソースに関する情報は、第１のＤＭＲＳポートのポート番号、又は、第１のＤＭＲＳポートに対応するリソースのインデックスを含む。
【０２４６】
さらに、第１のリソースのインジケーション情報は、第１のリソース内の第１のＤＭＲＳポートに対応するリソース以外の第３のリソースのインジケーション情報を含む。
【０２４７】
任意選択的に、第３のリソースのインジケーション情報は、第３のリソースに含まれるシンボルのインデックスを示すために用いられる情報を含む。
【０２４８】
本実施形態において、送信ユニット１００２は、ＵＥ固有のシグナリング又はセル固有／共通のシグナリングを用いることにより、第１のリソースのインジケーション情報を端末デバイスに送信するようにさらに構成される。代わりに、送信ユニット１００２は、第１のリソースのインジケーション情報を搬送するＰＤＣＣＨを用いることにより、第１のリソースのインジケーション情報を端末デバイスに送信するようにさらに構成される。
【０２４９】
本実施形態におけるネットワークデバイスは、図６及び図７に示される方法の実施形態におけるネットワークデバイスの実装上の解決手段を実行するように構成されてよい。特定の実装方式及び技術的な効果は同様であり、ここでは詳細は説明しない。
【０２５０】
図１１は、本願の実施形態に係る別の端末デバイスの概略構造図である。図１１に示されるように、本実施形態における端末デバイスは、受信ユニット１１０１、処理ユニット１１０２及び送信ユニット１１０３を含んでよい。
【０２５１】
受信ユニット１１０１は、ネットワークデバイスから第１のリソースのインジケーション情報を受信するように構成される。
【０２５２】
処理ユニット１１０２は、第１のリソースのインジケーション情報に基づいて、第１の時間区分において第１のデータ情報を搬送するために用いられる第１のリソースを決定するように構成される。
【０２５３】
第１のリソースは、第１のＤＭＲＳポートに対応するリソースを含み、第１のＤＭＲＳポートは、ネットワークデバイスの複数のＤＭＲＳポートのうちの少なくとも１つのＤＭＲＳポートのうちの１つであり、少なくとも１つのＤＭＲＳポートに対応するリソースは、ＤＭＲＳを伝送するのに用いられない。
【０２５４】
送信ユニット１１０３は、第１のデータ情報を搬送する第１のリソースを用いることにより、ネットワークデバイスに第１のデータ情報を送信するように構成される。
【０２５５】
さらに、本実施形態では、受信ユニット１１０１は、ネットワークデバイスから第２のリソースのインジケーション情報を受信するように構成される。
【０２５６】
対応して、処理ユニット１１０２は、第２のリソースのインジケーション情報に基づいて、第２の時間区分において第２のデータ情報を搬送するために用いられる第２のリソースを決定するようにさらに構成され、第２のリソースは、ネットワークデバイスのすべてのＤＭＲＳポートに対応するリソースを含まない。
【０２５７】
送信ユニット１１０３は、第２のデータ情報を搬送する第２のリソースを用いることにより、第２のデータ情報をネットワークデバイスに送信するようにさらに構成される。
【０２５８】
任意選択的に、第２のリソースのインジケーション情報は、第２のリソースがＤＭＲＳポートに対応するリソースを含まないことを示す情報を含む。
【０２５９】
任意選択的に、第２のリソースのインジケーション情報は、第２のリソースに含まれるシンボルのインデックスを示すために用いられる情報を含む。
【０２６０】
本実施形態において、受信ユニット１１０１は、ＵＥ固有のシグナリング又はセル固有／共通のシグナリングを用いることにより、ネットワークデバイスから第２のリソースのインジケーション情報を受信するようにさらに構成される。代わりに、受信ユニット１１０１は、ＰＤＣＣＨ上で搬送される第２のリソースのインジケーション情報をネットワークデバイスから受信するようにさらに構成される。
【０２６１】
任意選択的に、第１のリソースのインジケーション情報は、第１のＤＭＲＳポートに対応するリソースを示すために用いられる情報を含む。
【０２６２】
任意選択的に、第１のＤＭＲＳポートに対応するリソースに関する情報は、第１のＤＭＲＳポートのポート番号、又は、第１のＤＭＲＳポートに対応するリソースのインデックスを含む。
【０２６３】
任意選択的に、第１のリソースのインジケーション情報は、第１のリソース内の第１のＤＭＲＳポートに対応するリソース以外の第３のリソースのインジケーション情報を含む。
【０２６４】
任意選択的に、第３のリソースのインジケーション情報は、第３のリソースに含まれるシンボルのインデックスを示すために用いられる情報を含む。
【０２６５】
本実施形態において、受信ユニット１１０１は、ＵＥ固有のシグナリング又はセル固有／共通のシグナリングを用いることにより、ネットワークデバイスから第１のリソースのインジケーション情報を受信するようにさらに構成される。代わりに、受信ユニット１１０１は、ＰＤＣＣＨ上で搬送される第１のリソースのインジケーション情報をネットワークデバイスから受信するようにさらに構成される。
【０２６６】
本実施形態における端末デバイスは、図６及び図７に示される方法の実施形態における端末デバイスの実装上の解決手段を実行するように構成されてよい。特定の実装方式及び技術的な効果は同様であり、ここでは詳細は説明しない。
【０２６７】
前述のデバイスのユニット区分（ネットワークデバイス及び端末デバイス）は、論理的な機能区分に過ぎないことに留意されたい。実際の実装中、前述のユニットは、１つの物理エンティティにすべて又は部分的に統合されてよい、又は、物理的に分離されてもよい。さらに、これらのユニットのすべてが、処理要素により呼び出されるソフトウェアにより実施されてよく、又は、ハードウェアにより実施されるすべてであってよい、又は、いくつかのユニットが、処理要素により呼び出されるソフトウェアにより実施され、いくつかのユニットは、ハードウェアにより実施される。例えば、処理ユニットは、別個の処理要素であってよく、実装のために前述のデバイスのチップに統合されてもよい。さらに、処理ユニットは、プログラムコードの形式で前述のデバイスのメモリに格納されてよく、前述のデバイスの処理要素は、プログラムコードを呼び出して、前述の処理ユニットの機能を実行する。他のユニットが同様の方式で実施される。さらに、これらのユニットは、すべて又は部分的に統合され、又は、別々に実装されてよい。ここでは、処理要素は集積回路であってよく、信号処理能力を有する。実施のプロセスにおいて、前述の方法の段階又は前述のユニットは、処理要素内のハードウェア統合論理回路を用いることにより、又は、ソフトウェアの形式の命令を用いることにより実施され得る。
【０２６８】
例えば、これらのユニットは、前述の方法を実現する１又は複数の集積回路、例えば、１又は複数の特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、１又は複数のデジタル信号プロセッサ（ｄｉｇｉｔａｌ  ｓｉｇｎａｌ  ｐｒｏｃｅｓｓｏｒ、ＤＳＰ）、又は、１又は複数のフィールドプログラマブルゲートアレイ（ｆｉｅｌｄ  ｐｒｏｇｒａｍｍａｂｌｅ  ｇａｔｅ  ａｒｒａｙ、ＦＰＧＡ）として構成されてよい。別の例として、ユニットが処理要素により、プログラムコードを呼び出すことにより実施される場合、処理要素は、汎用プロセッサ、例えば、中央処理装置（Ｃｅｎｔｒａｌ  Ｐｒｏｃｅｓｓｉｎｇ  Ｕｎｉｔ、ＣＰＵ）又はプログラムコードを呼び出すことができる別のプロセッサであってよい。別の例として、これらのユニットは、一緒に統合され、システムオンチップ（ｓｙｓｔｅｍ−ｏｎ−ａ−ｃｈｉｐ、ＳＯＣ）形式で実装されてよい。
【０２６９】
前述の実施形態のすべて又は一部は、ソフトウェア、ハードウェア、ファームウェア又はこれらの任意の組み合わせにより実施されてよい。ソフトウェアが実施形態を実施するために用いられる場合、当該実施形態は、コンピュータプログラム製品の形式ですべて又は部分的に実施されてよい。コンピュータプログラム製品は、１又は複数のコンピュータ命令を含む。コンピュータプログラム命令がロードされ、コンピュータ上で実行される場合、本願の実施形態に従うプロシージャ又は機能は、すべて又は部分的に引き起こされる。コンピュータは、汎用コンピュータ、専用のコンピュータ、コンピュータネットワーク又は別のプログラマブル装置であってよい。コンピュータ命令は、コンピュータ可読記憶媒体に格納されてよく、又は、コンピュータ可読記憶媒体から別のコンピュータ可読記憶媒体に伝送されてもよい。例えば、コンピュータ命令は、あるウェブサイト、コンピュータ、サーバ又はデータセンタから、別のウェブサイト、コンピュータ、サーバ又はデータセンタへ有線（例えば、同軸ケーブル、光ファイバ又はデジタル加入線（ＤＳＬ））又は無線（例えば、赤外線、無線又はマイクロ波）方式で伝送されてよい。コンピュータ可読記憶媒体は、コンピュータによりアクセス可能な任意の使用可能な媒体、又は、１又は複数の使用可能な媒体を統合するデータストレージデバイス、例えば、サーバ又はデータセンタであってよい。使用可能な媒体は、磁気媒体（例えば、ソフトディスク、ハードディスク又は磁気テープ）、光媒体（例えば、ＤＶＤ）、又は、半導体媒体（例えば、ソリッドステートディスク（ＳＳＤ））などであってよい。
【０２７０】
図１２は、本願の実施形態に係るさらに別のネットワークデバイスの概略構造図である。本実施形態において提供されるネットワークデバイスは、プロセッサ１２０１及び送受信機１２０２を含む。任意選択的に、ネットワークデバイスは、メモリをさらに含んでよく、メモリは、プロセッサ１２０１の実行命令を格納するように構成される。任意選択的に、送受信機１２０２は、送信機及び受信機により実装されてよい。送信機及び受信機はそれぞれ、独立した機能を有し、それぞれがアンテナの形式などで実装されてよい。これは、本願の本実施形態において限定されるものではない。プロセッサ１２０１及び送受信機１２０２は、コンピュータ実行命令を実行するように構成され、その結果、ネットワークデバイスは、通信方法において適用されるネットワークデバイスの段階を実行する。
【０２７１】
具体的には、図８において、処理ユニット８０１はプロセッサ１２０１に対応しており、送信ユニット８０２は送受信機１２０２に対応している、などである。
【０２７２】
図１３は、本願の実施形態に係るさらに別の端末デバイスの概略構造図である。本実施形態において提供される端末デバイスは、プロセッサ１３０１及び送受信機１３０２を含む。任意選択的に、端末デバイスは、メモリをさらに含んでよく、メモリは、プロセッサ１３０１の実行命令を格納するように構成される。任意選択的に、送受信機１３０２は、送信機及び受信機により実装されてよい。送信機及び受信機はそれぞれ独立した機能を有し、それぞれがアンテナの形式などで実装されてよい。これは、本願の本実施形態において限定されるものではない。プロセッサ１３０１及び送受信機１３０２は、コンピュータ実行命令を実行するように構成され、その結果、端末デバイスは、通信方法において適用される端末デバイスの段階を実行する。
【０２７３】
具体的には、図９において、受信ユニット９０１は送受信機１３０２に対応しており、処理ユニット９０２はプロセッサ１３０１に対応している、などである。
【０２７４】
図１４は、本願の実施形態に係るさらに別のネットワークデバイスの概略構造図である。本実施形態において提供されるネットワークデバイスは、プロセッサ１４０１及び送受信機１４０２を含む。任意選択的に、ネットワークデバイスは、メモリをさらに含んでよく、メモリは、プロセッサ１４０１の実行命令を格納するように構成される。任意選択的に、送受信機１４０２は、送信機及び受信機により実装されてよい。送信機及び受信機はそれぞれ、独立した機能を有し、それぞれがアンテナの形式などで実装されてよい。これは、本願の本実施形態において限定されるものではない。プロセッサ１４０１及び送受信機１４０２は、コンピュータ実行命令を実行するように構成され、その結果、ネットワークデバイスは、通信方法において適用されるネットワークデバイスの段階を実行する。
【０２７５】
具体的には、図１０において、処理ユニット１００１はプロセッサ１４０１に対応しており、送信ユニット１００２及び受信ユニット１００３は送受信機１４０２に対応している、などである。
【０２７６】
図１５は、本願の実施形態に係るさらに別の端末デバイスの概略構造図である。本実施形態において提供される端末デバイスは、プロセッサ１５０１及び送受信機１５０２を含む。任意選択的に、端末デバイスは、メモリをさらに含んでよく、メモリは、プロセッサ１５０１の実行命令を格納するように構成される。任意選択的に、送受信機１５０２は、送信機及び受信機により実装されてよい。送信機及び受信機はそれぞれ、独立した機能を有し、それぞれがアンテナの形式などで実装されてよい。これは、本願の本実施形態において限定されるものではない。プロセッサ１５０１及び送受信機１５０２は、コンピュータ実行命令を実行するように構成され、その結果、端末デバイスは、通信方法において適用される端末デバイスの段階を実行する。
【０２７７】
具体的には、図１１において、受信ユニット１１０１及び送信ユニット１１０３は送受信機１５０２に対応しており、処理ユニット１１０２はプロセッサ１５０１に対応している、などである。
【０２７８】
さらに、図１６は、本願の実施形態に係る通信システムの概略構造図である。図１６に示されるように、本実施形態において提供される通信システムは、ネットワークデバイス１６０１及び端末デバイス１６０２を含む。
【０２７９】
ネットワークデバイス１６０１は、図８に示される実施形態におけるネットワークデバイス、又は、図１２に示される実施形態におけるネットワークデバイスであり、端末デバイス１６０２は、図９に示される実施形態における端末デバイス、又は、図１３に示される実施形態における端末デバイスである。ネットワークデバイス及び端末デバイスの特定の実装上の解決手段及び有益な効果については、図８及び図９又は図１２及び図１３の説明を参照されたい。ここでは詳細は説明しない。
【０２８０】
代わりに、ネットワークデバイス１６０１は、図１０に示される実施形態におけるネットワークデバイス、又は、図１４に示される実施形態におけるネットワークデバイスであり、端末デバイス１６０２は、図１１に示される実施形態における端末デバイス、又は、図１５に示される実施形態における端末デバイスである。ネットワークデバイス及び端末デバイスの特定の実装上の解決手段及び有益な効果については、図１０及び図１１、又は、図１４及び図１５の説明を参照されたい。ここでは詳細は説明しない。
【図１】
2020507290.tif 000007
【図２】
2020507290.tif 000008
【図３】
2020507290.tif 000009
【図４】
2020507290.tif 000010
【図５】
2020507290.tif 000011
【図６】
2020507290.tif 000012
【図７】
2020507290.tif 000013
【図８】
2020507290.tif 000014
【図９】
2020507290.tif 000015
【図１０】
2020507290.tif 000016
【図１１】
2020507290.tif 000017
【図１２】
2020507290.tif 000018
【図１３】
2020507290.tif 000019
【図１４】
2020507290.tif 000020
【図１５】
2020507290.tif 000021
【図１６】
2020507290.tif 000022
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
通信方法であって、
ネットワークデバイスにより、前記ネットワークデバイスの複数の復調基準信号（ＤＭＲＳ）ポートのうちの少なくとも１つのＤＭＲＳポートに対応するリソースが第１の時間区分においてＤＭＲＳを伝送するのに用いられないことを決定する段階であって、前記少なくとも１つのＤＭＲＳポートは、第１のＤＭＲＳポートを有する、段階と、
前記ネットワークデバイスにより、前記第１の時間区分においてデータ情報を搬送するために用いられる第１のリソースを決定する段階であって、前記第１のリソースは、前記第１のＤＭＲＳポートに対応するリソースを有する、段階と、
前記ネットワークデバイスにより、前記第１のリソースのインジケーション情報を端末デバイスに送信する段階であって、前記第１のリソースの前記インジケーション情報は、前記複数のＤＭＲＳポート内の前記第１のＤＭＲＳポート以外の第２のＤＭＲＳポートに対応するリソースの情報を示すために用いられ、前記第２のＤＭＲＳポートに対応する前記リソースは、前記データ情報を搬送するのに用いられない、段階と、
前記ネットワークデバイスにより、第１のデータ情報を搬送する前記第１のリソースを用いることにより、前記端末デバイスに前記第１のデータ情報を送信する段階、又は、前記ネットワークデバイスにより、前記第１のリソース上で搬送される第３のデータ情報を前記端末デバイスから受信する段階と
を備える方法。
【請求項２】
前記ネットワークデバイスにより、第２の時間区分における第２のリソースを決定する段階であって、前記第２のリソースは、前記ネットワークデバイスのすべてのＤＭＲＳポートに対応するリソースを含まない、段階と、
前記ネットワークデバイスにより、前記端末デバイスに前記第２のリソースのインジケーション情報を送信する段階と、
前記ネットワークデバイスにより、第２のデータ情報を搬送する前記第２のリソースを用いることにより、前記端末デバイスに前記第２のデータ情報を送信する段階、又は、前記ネットワークデバイスにより、前記第２のリソース上で搬送される第４のデータ情報を前記端末デバイスから受信する段階と
をさらに備える、請求項１に記載の方法。
【請求項３】
前記第２のリソースの前記インジケーション情報は、前記ネットワークデバイスのすべての前記ＤＭＲＳポートに対応する前記リソースを前記第２のリソースが含まないことを示すために用いられる情報を有する、請求項２に記載の方法。
【請求項４】
前記第２のリソースの前記インジケーション情報は、前記第２のリソースに含まれるシンボルのインデックスを示すために用いられる情報を有する、請求項２又は３に記載の方法。
【請求項５】
前記第１のリソースの前記インジケーション情報は、前記第１のＤＭＲＳポートに対応する前記リソースを示すために用いられる情報を有する、請求項１から４のいずれか一項に記載の方法。
【請求項６】
前記第１のＤＭＲＳポートに対応する前記リソースに関する前記情報は、前記第１のＤＭＲＳポートのポート番号、又は、前記第１のＤＭＲＳポートに対応する前記リソースのインデックスを有する、請求項５に記載の方法。
【請求項７】
前記複数のＤＭＲＳポート内の前記第１のＤＭＲＳポート以外の前記第２のＤＭＲＳポートに対応する前記リソースの前記情報は、前記第２のＤＭＲＳポートに対応する前記リソースのインデックスを含む、請求項１から６のいずれか一項に記載の方法。
【請求項８】
前記第１のリソースの前記インジケーション情報は、前記第１のリソース内の前記第１のＤＭＲＳポートに対応する前記リソース以外の第３のリソースのインジケーション情報を有する、請求項１から６のいずれか一項に記載の方法。
【請求項９】
前記第３のリソースの前記インジケーション情報は、前記第３のリソースに含まれるシンボルのインデックスを示すために用いられる情報を有する、請求項８に記載の方法。
【請求項１０】
前記第１のリソースの前記インジケーション情報は、物理ダウンリンク制御チャネルにおいて搬送される、請求項１から９のいずれか一項に記載の方法。
【請求項１１】
通信デバイスであって、
プロセッサと、プログラム命令を格納するメモリユニットとを備え、
前記プロセッサにより実行される場合、前記プログラム命令は、前記通信デバイスが、請求項１から１０のいずれか一項に記載の方法を実行することを可能にする、通信デバイス。
【請求項１２】
前記通信デバイスは、ネットワークデバイスである、請求項１１に記載の通信デバイス。
【請求項１３】
前記ネットワークデバイスのプロセッサに、請求項１から１０のいずれか一項に記載の方法を実行させるためのプログラム。
【請求項１４】
ネットワークデバイスであって、
前記ネットワークデバイスの複数の復調基準信号（ＤＭＲＳ）ポートのうちの少なくとも１つのＤＭＲＳポートに対応するリソースが第１の時間区分においてＤＭＲＳを伝送するのに用いられないことを決定するように構成される処理ユニットであって、前記少なくとも１つのＤＭＲＳポートは、第１のＤＭＲＳポートを有し、前記処理ユニットは、前記第１の時間区分においてデータ情報を搬送するために用いられる第１のリソースを決定するように構成され、前記第１のリソースは、前記第１のＤＭＲＳポートに対応するリソースを有する、処理ユニットと、
端末デバイスに前記第１のリソースのインジケーション情報を送信するように構成される送信ユニットであって、前記第１のリソースの前記インジケーション情報は、前記複数のＤＭＲＳポート内の前記第１のＤＭＲＳポート以外の第２のＤＭＲＳポートに対応するリソースの情報を示すために用いられ、前記第２のＤＭＲＳポートに対応する前記リソースは、前記データ情報を搬送するのに用いられない、送信ユニットと
を備え、
前記送信ユニットは、第１のデータ情報を搬送する前記第１のリソースを用いることにより、前記端末デバイスに前記第１のデータ情報を送信するようにさらに構成される、又は、受信ユニットは、前記第１のリソース上で搬送される第３のデータ情報を前記端末デバイスから受信するように構成される、ネットワークデバイス。
【請求項１５】
前記処理ユニットは、第２の時間区分における第２のリソースを決定するようにさらに構成され、前記第２のリソースは、前記ネットワークデバイスのすべてのＤＭＲＳポートに対応するリソースを含まず、
前記送信ユニットは、前記端末デバイスに前記第２のリソースのインジケーション情報を送信するようにさらに構成され、
前記送信ユニットは、第２のデータ情報を搬送する前記第２のリソースを用いることにより、前記端末デバイスに前記第２のデータ情報を送信するようにさらに構成される、又は、前記受信ユニットは、前記第２のリソース上で搬送される第４のデータ情報を前記端末デバイスから受信するようにさらに構成される、請求項１４に記載のネットワークデバイス。
【請求項１６】
前記第２のリソースの前記インジケーション情報は、前記ネットワークデバイスのすべての前記ＤＭＲＳポートに対応する前記リソースを前記第２のリソースが含まないことを示すために用いられる情報を有する、請求項１５に記載のネットワークデバイス。
【請求項１７】
前記第２のリソースの前記インジケーション情報は、前記第２のリソースに含まれるシンボルのインデックスを示すために用いられる情報を有する、請求項１５又は１６に記載のネットワークデバイス。
【請求項１８】
前記第１のリソースの前記インジケーション情報は、前記第１のＤＭＲＳポートに対応する前記リソースを示すために用いられる情報を有する、請求項１４から１７のいずれか一項に記載のネットワークデバイス。
【請求項１９】
前記第１のＤＭＲＳポートに対応する前記リソースに関する前記情報は、前記第１のＤＭＲＳポートのポート番号、又は、前記第１のＤＭＲＳポートに対応する前記リソースのインデックスを有する、請求項１８に記載のネットワークデバイス。
【請求項２０】
前記複数のＤＭＲＳポート内の前記第１のＤＭＲＳポート以外の前記第２のＤＭＲＳポートに対応する前記リソースの前記情報は、前記第２のＤＭＲＳポートに対応する前記リソースのインデックスを含む、請求項１４から１９のいずれか一項に記載のネットワークデバイス。
【請求項２１】
前記第１のリソースの前記インジケーション情報は、前記第１のリソース内の前記第１のＤＭＲＳポートに対応する前記リソース以外の第３のリソースのインジケーション情報を有する、請求項１４から１９のいずれか一項に記載のネットワークデバイス。
【請求項２２】
前記第３のリソースの前記インジケーション情報は、前記第３のリソースに含まれるシンボルのインデックスを示すために用いられる情報を有する、請求項２１に記載のネットワークデバイス。
【請求項２３】
前記第１のリソースの前記インジケーション情報は、物理ダウンリンク制御チャネルにおいて搬送される、請求項１４から２２のいずれか一項に記載のネットワークデバイス。
【請求項２４】
通信方法であって、
端末デバイスにより、ネットワークデバイスから第１のリソースのインジケーション情報を受信する段階であって、前記第１のリソースの前記インジケーション情報は、複数のＤＭＲＳポート内の第１のＤＭＲＳポート以外の第２のＤＭＲＳポートに対応するリソースの情報を示すために用いられ、前記第２のＤＭＲＳポートに対応する前記リソースは、データ情報を搬送するのに用いられない、段階と、
前記端末デバイスにより、前記第１のリソースの前記インジケーション情報に基づいて、第１の時間区分においてデータ情報を搬送するために前記ネットワークデバイスにより用いられ、前記複数のＤＭＲＳポート内の前記第１のＤＭＲＳポートに対応する前記第１のリソースを決定する段階であって、前記第１のリソースは、ＤＭＲＳを伝送するのに用いられない、段階と、
前記端末デバイスにより、前記第１のリソース上で搬送される第１のデータ情報を前記ネットワークデバイスから受信する段階、又は、前記端末デバイスにより、第３のデータ情報を搬送する前記第１のリソースを用いることにより、前記第３のデータ情報を前記ネットワークデバイスに送信する段階と
を備える方法。
【請求項２５】
前記端末デバイスにより、前記ネットワークデバイスから第２のリソースのインジケーション情報を受信する段階と、
前記端末デバイスにより、前記第２のリソースの前記インジケーション情報に基づいて、第２の時間区分において前記ネットワークデバイスにより用いられる前記第２のリソースを決定する段階であって、前記第２のリソースは、前記ネットワークデバイスのすべてのＤＭＲＳポートに対応するリソースを含まない、段階と、
前記端末デバイスにより、前記第２のリソース上で搬送される第２のデータ情報を前記ネットワークデバイスから受信する段階、又は、前記端末デバイスにより、第４のデータ情報を搬送する前記第２のリソースを用いることにより、前記第４のデータ情報を前記ネットワークデバイスに送信する段階と
をさらに備える、請求項２４に記載の方法。
【請求項２６】
前記第２のリソースの前記インジケーション情報は、前記ネットワークデバイスのすべての前記ＤＭＲＳポートに対応する前記リソースを前記第２のリソースが含まないことを示すために用いられる情報を有する、請求項２５に記載の方法。
【請求項２７】
前記複数のＤＭＲＳポート内の前記第１のＤＭＲＳポート以外の前記第２のＤＭＲＳポートに対応する前記リソースの前記情報は、前記第２のＤＭＲＳポートに対応する前記リソースのインデックスを含む、請求項２４から２６のいずれか一項に記載の方法。
【請求項２８】
前記第１のリソースの前記インジケーション情報は、物理ダウンリンク制御チャネルにおいて搬送される、請求項２４から２７のいずれか一項に記載の方法。
【請求項２９】
通信デバイスであって、
プロセッサと、プログラム命令を格納するメモリユニットとを備え、
前記プロセッサにより実行される場合、前記プログラム命令は、前記通信デバイスが、請求項２４から２８のいずれか一項に記載の方法を実行することを可能にする、通信デバイス。
【請求項３０】
前記通信デバイスは、端末デバイスである、請求項２９に記載の通信デバイス。
【請求項３１】
前記端末デバイスのプロセッサに、請求項２４から２８のいずれか一項に記載の方法を実行させるためのプログラム。
【請求項３２】
端末デバイスであって、
ネットワークデバイスから第１のリソースのインジケーション情報を受信するように構成される受信ユニットであって、前記第１のリソースの前記インジケーション情報は、複数のＤＭＲＳポート内の第１のＤＭＲＳポート以外の第２のＤＭＲＳポートに対応するリソースの情報を示すために用いられ、前記第２のＤＭＲＳポートに対応する前記リソースは、データ情報を搬送するのに用いられない、受信ユニットと、
前記第１のリソースの前記インジケーション情報に基づいて、第１の時間区分においてデータ情報を搬送するために前記ネットワークデバイスにより用いられ、前記複数のＤＭＲＳポート内の前記第１のＤＭＲＳポートに対応する前記第１のリソースを決定するように構成される処理ユニットであって、前記第１のリソースは、ＤＭＲＳを伝送するのに用いられない、処理ユニットと
を備え、
前記受信ユニットは、前記第１のリソース上で搬送される第１のデータ情報を前記ネットワークデバイスから受信するようにさらに構成される、又は、送信ユニットは、第３のデータ情報を搬送する前記第１のリソースを用いることにより、前記ネットワークデバイスに前記第３のデータ情報を送信するように構成される、端末デバイス。
【請求項３３】
前記受信ユニットは、前記ネットワークデバイスから第２のリソースのインジケーション情報を受信するようにさらに構成され、
前記処理ユニットは、前記第２のリソースの前記インジケーション情報に基づいて、第２の時間区分において前記ネットワークデバイスにより用いられる前記第２のリソースを決定するようにさらに構成され、前記第２のリソースは、前記ネットワークデバイスのすべてのＤＭＲＳポートに対応するリソースを含まず、
前記受信ユニットは、前記第２のリソース上で搬送される第２のデータ情報を前記ネットワークデバイスから受信するようにさらに構成される、又は、前記送信ユニットは、第４のデータ情報を搬送する前記第２のリソースを用いることにより、前記ネットワークデバイスに前記第４のデータ情報を送信するようにさらに構成される、請求項３２に記載の端末デバイス。
【請求項３４】
前記第２のリソースの前記インジケーション情報は、前記ネットワークデバイスのすべての前記ＤＭＲＳポートに対応する前記リソースを前記第２のリソースが含まないことを示すために用いられる情報を有する、請求項３３に記載の端末デバイス。
【請求項３５】
前記複数のＤＭＲＳポート内の前記第１のＤＭＲＳポート以外の前記第２のＤＭＲＳポートに対応する前記リソースの前記情報は、前記第２のＤＭＲＳポートに対応する前記リソースのインデックスを含む、請求項３２から３４のいずれか一項に記載の端末デバイス。
【請求項３６】
前記第１のリソースの前記インジケーション情報は、物理ダウンリンク制御チャネルにおいて搬送される、請求項３２から３５のいずれか一項に記載の端末デバイス。
【手続補正２】
【補正対象書類名】明細書
【補正対象項目名】００１６
【補正方法】変更
【補正の内容】
【００１６】
本実施形態において、ネットワークデバイスは、ＤＭＲＳポートに対応しており、かつ、ＤＭＲＳを伝送するのに用いられないリソースを決定し、第１のデータ情報を搬送するために用いられる第１のリソースを決定し、第１のリソースは、ネットワークデバイスの複数のＤＭＲＳポートのうちの少なくとも１つのＤＭＲＳポートに対応しており、かつ、ＤＭＲＳを伝送するのに用いられていないリソースを含み、ネットワークデバイスは、端末デバイスに第１のリソースのインジケーション情報を送信する。このように、端末デバイスは、ネットワークデバイスのアイドルＤＭＲＳポートに対応する第１のリソースを用いて、第１のデータ情報を搬送し得る。対応して、ネットワークデバイスは、第１のリソース上で搬送される第１のデータ情報を端末デバイスから受信し得る。これは、通信リソース利用を改善し、通信リソースの無駄を回避し、システムのスペクトル効率を改善する。
【手続補正３】
【補正対象書類名】明細書
【補正対象項目名】００８１
【補正方法】変更
【補正の内容】
【００８１】
無線通信システムは、既存のロングタームエボリューション／ロングタームエボリューションアドバンスト通信システム、及び、開発中である新しい無線（ｎｅｗ ｒａｄｉｏ、ＮＲ）システムを含む。無線通信システムにおいて、直交周波数分割多元接続モードは、ダウンリンク多元接続モードのために通常用いられる。直交周波数分割多元接続モードの主な特性は、伝送リソースが、直交ＲＥに分割されること、及び、送信端により送信される信号が、受信端に伝送されるＲＥ上で搬送されることにある。異なるＲＥが互いに直交しているので、受信端は、各ＲＥ上に送信された信号を別々に受信し得る。
【手続補正４】
【補正対象書類名】明細書
【補正対象項目名】０１０６
【補正方法】変更
【補正の内容】
【０１０６】
例えば、第１のＤＭＲＳポートに対応するリソースのインデックスのインジケーション情報は、２ビットのフィールドであってよい。この場合、複数のＤＭＲＳポートが２つのＤＭＲＳポートを含む場合が例として用いられる。ＤＭＲＳポート１に対応するリソースがリソース１（ｒｅｓｏｕｒｃｅ  ｉｎｄｅｘ  １）であり、ＤＭＲＳポート２に対応するリソースがリソース２である。２ビットのフィールドインジケーション情報の意味は、表３に示され得る。表３はインデックスのインジケーション情報が２ビットのフィールドである場合のインジケーション情報の意味を示す。例えば、状態０１は、リソース１を示す。この場合は、端末デバイスは、リソース１が第１のデータ情報を搬送すると決定してよい。状態１０は、リソース２を示す。この場合は、端末デバイスは、リソース２が第１のデータ情報を搬送すると決定してよい。状態１１は、リソース１及びリソース２を示す。この場合、端末デバイスは、リソース１及びリソース２の両方が第１のデータ情報を搬送すると決定してよい。フィールドは、予約状態インジケーション、例えば、表１における状態００をさらに含んでよい。当該状態は、いずれのリソースも示していないものとして理解され得る。この場合、端末デバイスは、リソース１及びリソース２のどちらも第１のデータ情報を搬送しないと決定する。
【表３】
2020507290.tif 000023
【手続補正５】
【補正対象書類名】明細書
【補正対象項目名】０１１２
【補正方法】変更
【補正の内容】
【０１１２】
例えば、第２のＤＭＲＳポートに対応するリソースのインジケーション情報は、代わりに、表１、表２、表３又は表４に示され得る。第２のＤＭＲＳポートに対応するリソースのインジケーション情報の特定の意味を説明するための例として、表１、表２、表３又は表４の前述の説明を参照されたい。ここでは詳細は説明しない。
【手続補正６】
【補正対象書類名】明細書
【補正対象項目名】０１１６
【補正方法】変更
【補正の内容】
【０１１６】
例えば、図３を参照すると、ネットワークデバイスが、２つの空間層のみをスケジューリングする場合、具体的には、ＤＭＲＳポート１及びＤＭＲＳポート２に対応するＲＥ上のみで情報を伝送する場合、ＤＭＲＳポート１及びＤＭＲＳポート２に対応するＲＥは、第３のリソースと称される。図３に示されるように、第３のリソースは、スロット内に７つのシンボルを含み、第１及び第２シンボルは、制御情報を搬送するために用いられ、第３シンボルは、ＤＭＲＳを伝送するために用いられ、第４から第７シンボルは、データ情報を伝送するために用いられる。したがって、第３のリソースのインジケーション情報を受信した後に、端末デバイスは、第３のリソースに含まれるシンボルの第３のリソースのインジケーション情報に示されるインデックスに関する情報に基づいて、データ情報を搬送するシンボルを決定し、さらに、ネットワークデバイスにより伝送されたデータ情報を、対応するシンボルから受信する。第３のリソースは、代わりに、７つのシンボル内の１又は複数のシンボルを含んでよく、複数のシンボルは、連続的なシンボルであってもよく、又は、完全には連続的でないシンボルであってよいことに留意されたい。
【手続補正７】
【補正対象書類名】明細書
【補正対象項目名】０１８０
【補正方法】変更
【補正の内容】
【０１８０】
Ｓ６０７．ネットワークデバイスは、第１のリソース上で搬送される第１のデータ情報を端末デバイスから受信する。
【手続補正８】
【補正対象書類名】明細書
【補正対象項目名】０１８５
【補正方法】変更
【補正の内容】
【０１８５】
本実施形態では、第２の時間区分において、ネットワークデバイスのＤＭＲＳポートに対応するリソースがビジー状態であり得（例えば、すべてのＤＭＲＳポートがＤＭＲＳ伝送用に用いられている、又は、アイドルＤＭＲＳポートが、別の目的で用いられている）、データ情報伝送のために用いられることができない場合、ネットワークデバイスは、ネットワークデバイスのすべてのＤＭＲＳポートに対応するリソースがデータ情報を搬送するのに用いられない、すなわち、第２の時間区分において第２のデータ情報を搬送するために用いられ、かつ、ネットワークデバイスにより決定された第２のリソースが、ネットワークデバイスのすべてのＤＭＲＳポートに対応するリソースを含まないことを決定する。
【手続補正９】
【補正対象書類名】明細書
【補正対象項目名】０１９７
【補正方法】変更
【補正の内容】
【０１９７】
端末デバイスとネットワークデバイスとの間のアップリンク伝送では、端末デバイス及びネットワークデバイスが、第２のリソースのインジケーション情報を用いることにより、第２のデータ情報を搬送するために用いられる第２のリソースを決定した後に、端末デバイスは、第２のデータ情報を搬送する第２のリソースを用い得ることで、ネットワークデバイスに第２のデータ情報を送信する。
【国際調査報告】
2020507290.tif 000024
2020507290.tif 000025
2020507290.tif 000026
2020507290.tif 000027
2020507290.tif 000028
2020507290.tif 000029